(57)【要約】【課題】ビッグバンの以前の、電子のラブの公転軌道はどれ位か。ビッグバンの以前の、電子のラブの秒速はどれ位か。【解決手段】本発明者は、２００５年１０月２４日提出した特許願いで、中性子星の電子のラブの公転軌道を１０−１８ｍとし、ブラックホールの電子のラブの公転軌道を１０−１９ｍから１０−２０ｍと考えた。それで、ビッグバンの以前の、電子のラブの公転軌道は１０−２１ｍと考える。電子のラブの秒速は、秒速＝３．１４×電子のラブの公転軌道×１秒間の公転数です。地上で、原子の中で、陽子のラブと電子のラブは引き合って、公転しているので公転数は同じです。宇宙のどのような高エネルギーの場においても、公転数は同じであると考える。地上で、陽子のラブの秒速が遅いのは、質量エネルギーが大きいからです。宇宙の年齢が若いほど公転軌道は小さくなるので、電子のラブと陽子のラブの秒速は遅くなる。【選択図】図１
2006075000.tif 000002
【特許請求の範囲】
【請求項１】
ビッグバンの以前の電子のラブの公転軌道はどれ位か。
本発明者が、２００５年８月２７日提出した特願２００５−２７８６９４の１５番で、ビッグバンの時の光子の軌道は５．５６×１０−２１ｍです、と記した。
この事から、ビッグバンの以前の電子のラブの軌道はこの軌道より小さい。それで、ビッグバンの以前の電子のラブの公転軌道を１０−２１ｍとする。
ビッグバンの以前の電子のラブの公転軌道は球体のブラックホールです。
【請求項２】
どうして、ビッグバンの以前の電子のラブの公転軌道が１０−２１ｍである球体はブラックホールであるか。中性子星の電子のラブの公転軌道について。ブラックホール球の電子のラブの公転軌道について。
本発明者は、２００５年１０月２４日提出した特許願いの１９番で、星の中の中性子の電子のラブの公転軌道を核融合反応が行われる場の１０−１倍と仮定した。それで、中性子星の電子のラブの公転軌道は１０−１８ｍであると考えた。
もし、星の中の中性子の電子のラブの公転軌道を１０−２倍と仮定したら、中性子星の電子のラブの公転軌道は１０−１９ｍである。
２１番で、ブラックホールができる電子のラブの公転軌道を、核融合反応が行われる場の１０−２倍とした。それで、ブラックホールの電子のラブの公転軌道は１０−１９ｍである。
ブラックホールの密度が１０３０であるとしたら、ブラックホールの電子のラブの公転軌道は１０−２０ｍである。
２２番で、電子のラブの公転軌道が１０−１９ｍの中性子のエネルギーは、電子のラブの公転軌道が１０−１８ｍの中性子のエネルギーの１０倍ですから、外側のエネルギーは１０−１／２倍で、３．１６倍です。
中性子星ができる３．１６倍以上の質量の星はブラックホールになる。
ブラックホールの密度が１０３０倍の場合は、電子のラブの公転軌道は１０−２０ｍですから、１００１／２＝１０倍の質量の星の中で、ブラックホールはできた。中性子になる星の１０倍の質量の星の中で、密度が１０３０のブラックホールができた。と記しました。
この事を、太陽の質量と核融合反応が起きる電子のラブの公転軌道によって考えます。
核融合反応が起きるのは、太陽くらいの星です。
１０−１７ｍで太陽の質量です。ブラックホールの電子のラブの公転軌道は１０−２０ｍであるとします。
１０−２０ｍは１０−１７ｍの１０００倍のエネルギーですから、太陽の質量の１０００１／２＝３１．６倍の質量の星の中でブラックホールはできた。
中性子星の電子のラブの公転軌道は１０−１９ｍであるとします。（核融合反応の１００倍のエネルギーの場の中性子が中性子星になったとします。）
１０−１９ｍは１０−１７ｍの１００倍のエネルギーですから、太陽の質量の１００１／２＝１０倍の質量の星の中で中性子星はできた。
この事により、中性子星の電子のラブの公転軌道は１０−１９ｍであり、ブラックホールの電子のラブの公転軌道は１０−２０ｍであると理解する。
ビッグバンでできた５×１０−２１ｍの光子は、１０−２１ｍの軌道を公転する電子のラブと陽子のラブによってできた。
ビッグバンの以前の電子のラブと陽子のラブの公転軌道は１０−２１ｍである。
１０−２１ｍの電子のラブの公転軌道は１０−２０ｍの１０分の１であるから、この軌道もブラックホールである。
よって、ビッグバンの以前の、ブラックホールの球体の電子のラブの公転軌道は１０−２１ｍである。
【請求項３】
ビッグバンの以前の球体の大きさはどれ位か。
現在、銀河系には２０００億個の星があり、星の質量は太陽と同じ質量であると仮定します。
現在、宇宙には銀河系と同じ質量の銀河が２０００億個あると仮定します。
太陽の質量は約２×１０３３ｇです。この中に原子はどれ位あるか。原子の質量を１．６６×１０−２４ｇであるとします。
太陽には原子が、
２×１０３３ｇ÷（１．６６×１０−２４ｇ）＝１．２×１０５７個ある。
銀河系には原子が、
２×１０１１個×１．２×１０５７個＝２．４×１０６８個ある。
宇宙には原子が、
２×１０１１個×２．４×１０６８個＝４．８×１０７９個ある。
半径ｒの球体に４．８×１０７９個の原子があるとすると、ｒの中にどれだけの原子があるか。
４／３πｒ３＝４．８×１０７９個    ｒ＝２．２６×１０２６個  ｒの中に２．２６×１０２６個の原子がある。
１個の原子の大きさは１０−２１ｍですから、ｒの大きさはどれ位か。
２．２６×１０２６個×１０−２１ｍ＝２．２６×１０５ｍ  ｒ＝２．２６×１０５ｍ
ビッグバンの以前の宇宙の球体の半径は２．２６×１０５ｍです。
【請求項４】
ビッグバンの以前のエネルギーはどれ位か。
ビッグバンの以前の軌道は１０−２１ｍで、Ａ＝１．２５×１０１１倍です。
請求項２１番により、この場のラブのエネルギーはＡ２倍です。
Ａ２＝（１．２５×１０１１）２＝１．５６２５×１０２２倍です。
原子数は４．８×１０７９個で１原子のエネルギーは１．５×１０−１０Ｊですから、
ビッグバンの以前のエネルギーは、
４．８×１０７９個×１．５×１０−１０Ｊ×１．５６２５×１０２２倍＝１．１２５×１０９２Ｊです。
【請求項５】
電子のラブが自転しながら公転するとはどういうことか。どうして電子のラブが１回公転してできる電気の光子１個のエネルギーは電子のラブが１０８回自転してできる磁気の光子１０８個のエネルギーになるのか。その原理について。図１
電子のラブは自転しながら公転するという事は、公転の太さが自転軌道です。それで、太さ×走った距離が電気の光子のエネルギーと成ります。太さ×１自転＝磁気の光子１個のエネルギー。太さ×１０８自転＝太さ×１公転＝電気の光子１個のエネルギー＝１０８個の磁気の光子のエネルギー。
地上では、電子のラブの自転軌道は１．２５×１０−１８ｍで、公転軌道は１．２５×１０−１０ｍです。
この状態は、電子のラブは１．２５×１０−１８ｍの円の太さで、走っています。
電子のラブは１．２５×１０−１８ｍの円の太さで、走って、公転しています。
それで、公転のエネルギーは、自転のエネルギーになります。
１回の公転のエネルギーは、１０８回の自転のエネルギーになります。
電子のラブが１回公転してできる電気の光子１個のエネルギーは、電子のラブが１０８回自転してできる磁気の光子１０８個のエネルギーに等しくなる原理は、公転の太さ（公転の線の太さ）が自転軌道の大きさであるからです。
陽子のラブの場合も同じです。
【請求項６】
電子のラブが自転し、公転する事によってできる、磁気の光子の波形とエネルギーと電気の光子の波型とエネルギーについて。図２
電子のラブが１０８回自転し、その波を縦波とする。
自転しながら公転する波は縦波の集合体である。縦波の集合体は縦波に対して、垂直方向に走るので、横波に成る。これが電気の光子です。
縦波は磁気の光子のエネルギーです。横波は電気の光子のエネルギーです。
縦波が１０８回転で、横波は１回転です。このエネルギーは同じです。
縦波の波長は横波の波長の１０−８倍です。
縦波の回数は横波の回数の１０８倍です。
縦波の波長を横波の波長にすると、縦波の波長は１０８倍になり、エネルギーは１０−８倍になる。
１個の縦波の波長を１０８倍にすると、エネルギーは１０−８倍に成る。
１個の縦波の磁気の光子の波長を１０８倍にすると、１個の磁気の光子のエネルギーは１０−８倍に成る。
１０８個の縦波の磁気の光子の波長を１０８倍にすると、１０８個の磁気の光子のエネルギーは１０−８倍に成る。
縦波の細い線の集合体が横波の太い線になっている。
【請求項７】
電子のラブと陽子のラブが１秒間に公転する公転数は一定です。電子のラブと陽子のラブが１秒間に自転する自転数は一定です。
地球において、原子の中の、電子のラブと陽子のラブは引き合い公転しているので公転数は同じです。
宇宙の年齢においても、原子の中の、電子のラブと陽子のラブは引き合い同じ回転数で回転している。その回転数は地球も、いかなる宇宙の年齢においても同じです。
どのような軌道を公転するときも、電子のラブと陽子のラブが１秒間に公転する公転数は一定です。本発明者は１０１６回と考えています。
どのような軌道を自転するときも、電子のラブと陽子のラブが１秒間に自転する自転数は一定です。本発明者は１０２４回と考えています。
【請求項８】
ラブが回転する速度は回転する軌道の大きさによって変化する。ラブが回転する速度は公転軌道に比例する。ラブが回転する速度は自転軌道に比例する。
ラブの秒速は、公転軌道×３．１４×１０１６回  です。
ラブの秒速は、自転軌道×３．１４×１０２４回  です。
公転軌道の秒速と自転軌道の秒速は同じです。
電子のラブの回転軌道が小さくなると電子のラブの回転する速度は遅くなる。
陽子のラブの回転軌道が小さくなると陽子のラブの回転する速度は遅くなる。
地上では、電子のラブの秒速は、
公転で計算すると、１．２５×１０−１０ｍ×３．１４×１０１６回＝４×１０６ｍです。
自転で計算すると、１．２５×１０−１８ｍ×３．１４×１０２４回＝４×１０６ｍです。
地上では、陽子のラブの秒速は、
公転で計算すると、６．６７×１０１４ｍ×３．１４×１０１６回＝２．１×１０３ｍです。
自転で計算すると、６．６７×１０−２２ｍ×３．１４×１０２４回＝２．１×１０３ｍです。
例えば、電子のラブの公転軌道が１０−２０ｍの場では、電子のラブの秒速は、
１０−２０ｍ×３．１４×１０１６回＝３．１４×１０−４ｍです。
電子のラブの公転軌道が１０−２０ｍの場では、陽子のラブの公転軌道は５．３４×１０−２４ｍですから、陽子のラブの秒速は、
５．３４×１０−２４ｍ×３．１４×１０１６回＝１．６８×１０−７ｍです。
電子のラブの秒速は、陽子のラブの秒速の、
３．１４×１０−４ｍ÷（１．６８×１０−７ｍ）＝１．８７×１０３倍です。
【請求項９】
原子の質量密度について。
（原子の質量÷原子の大きさ）を原子の質量密度と名づける。
原子の質量は１．６６×１０−２４ｇで一定です。
原子の大きさは電子のラブの公転軌道です。
電子のラブの公転軌道が変わると、原子の大きさも変わりますから、原子の大きさに対する質量のわりあいが変わります。
それで、電子の大きさに対する原子の質量を原子の質量密度と名づけます。
原子の質量密度＝１原子の質量÷原子の大きさ＝１原子の質量÷電子のラブの公転軌道＝１．６６×１０−２４ｇ÷電子のラブの公転軌道    です。
例えば、地球の原子の質量密度は、
地球の原子の質量密度＝１．６６×１０−２４ｇ÷電子のラブの公転軌道＝１．６６×１０−２４ｇ÷（１．２５×１０−１０ｍ）＝１．３２８×１０１４ｇ／ｍです。
例えば、宇宙の１０８歳の原子の質量密度は、電子のラブの公転軌道は１０−１５ｍですから、
宇宙の１０８歳の原子の質量密度＝１．６６×１０−２４ｇ÷電子のラブの公転軌道＝１．６６×１０−２４ｇ÷（１０−１５ｍ）＝１．６６×１０−９ｇ／ｍです。
（陽子の質量÷陽子の大きさ）を陽子の質量密度と名づける。
陽子の質量密度は、陽子の質量÷陽子の大きさ  です。
陽子の質量は１．６６×１０−２４ｇで一定です。
陽子の大きさは、陽子のラブの公転軌道です。
それで、陽子の質量密度は、
陽子の質量÷陽子の大きさ＝１．６６×１０−２４ｇ÷陽子のラブの公転軌道    です。
例えば、地球の陽子の質量密度は、
地球の陽子の質量密度＝１．６６×１０−２４ｇ÷陽子のラブの公転軌道＝１．６６×１０−２４ｇ÷（６．６７×１０−１４ｍ）＝２．４９×１０−１１ｇ／ｍです。
例えば、宇宙の１０９歳の陽子の質量密度は、陽子のラブの公転軌道は５．３×１０−１８ｍですから、
宇宙の１０９歳の陽子の質量密度＝１．６６×１０−２４ｇ÷陽子のラブの公転軌道＝１．６６×１０−２４ｇ÷（５．３×１０−１８ｍ）＝３．１３×１０７ｇ／ｍです。
【請求項１０】
ラブの秒速は、（１原子の質量÷ラブの公転軌道）に反比例する。
電子のラブの秒速は、（１原子の質量÷電子のラブの公転軌道）に反比例する。
電子のラブの公転軌道を公転軌道と記します。
電子のラブの秒速を秒速と記します。
秒速＝公転軌道×３．１４×１０１６回です。
原子の質量密度＝ａとします。
ａ＝１．６６×１０−２４ｇ÷公転軌道
公転軌道＝１．６６×１０−２４ｇ÷ａ
それで、
秒速＝公転軌道×３．１４×１０１６回＝１．６６×１０−２４ｇ÷ａ×３．１４×１０１６回＝５．２１２４×１０−８ｇ÷ａ
秒速＝５．２１２４×１０−８ｇ÷原子の質量密度  です。
秒速は質量密度に反比例します。
そして、
秒速＝公転軌道×３．１４×１０１６回＝５．２１２４×１０−８ｇ÷ａ＝５．２１２４×１０−８ｇ÷（１．６６×１０−２４ｇ÷公転軌道）＝３．１４×１０１６×公転軌道
秒速は公転軌道に比例する。
例えば、電子のラブの公転軌道が１０−１５ｍの場合。
原子の質量密度＝１．６６×１０−２４ｇ÷公転軌道＝１．６６×１０−２４ｇ÷１０−１５ｍ＝１．６６×１０−９ｇ／ｍ
電子のラブの秒速は、秒速＝５．２１２４×１０−８ｇ÷原子の質量密度  ですから、
５．２１２４×１０−８ｇ÷（１．６６×１０−９ｇ／ｍ）＝３．１４×１０ｍ  です。
例えば、公転軌道が１．２５×１０−１０ｍの場合。
秒速＝３．１４×１０１６×公転軌道＝３．１４×１０１６×１．２５×１０−１０ｍ＝４×１０６ｍ
例えば、公転軌道が６．６７×１０−１４ｍの場合。
秒速＝３．１４×１０１６×公転軌道＝３．１４×１０１６×６．６７×１０−１４ｍ＝２．１×１０３ｍ
それで、６．６７×１０−１４ｍの軌道に電子のラブが居た場合、電子のラブの秒速は２．１×１０３ｍになる。
【請求項１１】
中性子の電子のラブの秒速と中性子の陽子のラブの秒速について。図３
本発明者は、原子における電子のラブと陽子のラブは、１秒間に１０１６回公転していると考えている。電子のラブの秒速は４×１０６ｍで、陽子のラブの秒速は２．１×１０３ｍであると考えている。そして、特願２００５−２９２９４５では、電子のラブも陽子のラブも１秒間に８×１０−１４Ｊの磁気の光子の引力で引き合っていると考えている。
今回、電子のラブと陽子のラブは、どのような軌道を公転する場合でも１秒間の公転数は一定であり、１０１６回であると考える。
中性子の電子のラブと中性子の陽子のラブも、１秒間の公転数は一定であり、１０１６回であると考える。
中性子の電子のラブの秒速と中性子の陽子のラブの秒速はいくらか。
本発明者は、特願２００５−２４６７１９において、中性子の磁気モーメントが１／２スピンで−０．１５の場合、中性子の電子のラブの自転軌道の大きさは０．９２９×１０−２２ｍで、公転軌道は０．９２９×１０−１４ｍであるとしています。中性子の陽子のラブの自転軌道の大きさは４．６４５×１０−２６ｍで、公転軌道は４．６４５×１０−１８ｍであるとしています。
それで、中性子の電子のラブの公転軌道は０．９２９×１０−１４ｍとし、中性子の陽子のラブの公転軌道は４．６４５×１０−１８ｍとします。
中性子の電子のラブの秒速は、公転軌道が０．９２９×１０−１４ｍですから、
秒速＝３．１４×１０１６×公転軌道＝３．１４×１０１６×０．９２９×１０−１４ｍ＝２．９１７×１０２ｍです。
中性子の陽子のラブの秒速は、公転軌道が４．６４５×１０−１８ｍですから、
秒速＝３．１４×１０１６×公転軌道＝３．１４×１０１６×４．６４５×１０−１８ｍ＝１．４５９×１０−１ｍです。
【請求項１２】
中性子の電子のラブが作る磁気の光子のエネルギー（引力）と、中性子の陽子のラブが作る磁気の光子のエネルギー（引力）はどれ位か。図３
・  中性子の電子のラブが作る磁気の光子のエネルギー（引力）はどれ位か。
▲１▼公転軌道エネルギーの式、エネルギー＝１０−２３×Ａ  Ｊ・ｍ÷公転軌道の式により求める。
請求項１３番から、地球のＡ倍のエネルギーの場において、電子のラブが１秒間に作る電気の光子のエネルギーは、
エネルギー＝１０−２３×Ａ  Ｊ・ｍ÷公転軌道  です。
１秒間にできる電気の光子のエネルギー＝１秒間にできる磁気の光子のエネルギーは、
Ａ＝１．２５×１０−１０÷電子のラブの公転軌道＝１．２５×１０−１０÷（０．９２９×１０−１４ｍ）＝１．３４６×１０４ですから、
エネルギー＝１０−２３×Ａ  Ｊ・ｍ÷公転軌道＝１０−２３×１．３４６×１０４  Ｊ・ｍ÷公転軌道＝１．３４６×１０−１９Ｊ・ｍ÷（０．９２９×１０−１４ｍ）＝１．４５×１０−５Ｊです。
▲２▼１秒間に作る磁気の光子のエネルギー＝８×１０−１４Ｊ×Ａ２の式により求める。
請求項１３番から、１秒間にできる電気の光子のエネルギーと磁気の光子のエネルギーは、８×１０−１４Ｊ×Ａ２ですから、
中性子の電子のラブが１秒間に作る磁気の光子のエネルギー＝８×１０−１４Ｊ×Ａ２＝８×１０−１４Ｊ×（１．３４６×１０４）２＝１．４５×１０５Ｊです。
▲３▼１秒間に作る磁気の光子のエネルギー＝１．２５×１０−３３Ｊ÷電子のラブの公転軌道２の式により求める。
請求項１４番から、１秒間にできる電気の光子のエネルギーと磁気の光子のエネルギーは、１．２５×１０−３３Ｊ÷電子のラブの公転軌道２ですから、
中性子の電子のラブが作る磁気の光子のエネルギーは、
１．２５×１０−３３Ｊ÷電子のラブの公転軌道２＝１．２５×１０−３３Ｊ÷（０．９２９×１０−１４ｍ）２＝１．４４８×１０−５Ｊです。
・  中性子の陽子のラブが作る磁気の光子のエネルギー（引力）はどれ位か。
Ａにより求める。
Ａ＝６．６７×１０−１４ｍ÷（陽子の公転軌道）＝６．６７×１０−１４ｍ÷（４．６４５×１０−１８ｍ）＝１．４３６×１０４
中性子の陽子のラブが作る磁気の光子のエネルギー（引力）は、
８×１０−１４Ｊ×Ａ２＝８×１０−１４Ｊ×（１．４３６×１０４）２＝１．６５×１０−５Ｊです。
陽子の公転軌道により求める。
３．５６×１０−４０Ｊ÷陽子のラブの公転軌道２＝３．５６×１０−４０Ｊ÷（４．６４５×１０−１８ｍ）２＝１．６５×１０−５Ｊです。
中性子の電子のラブが１秒間に作る磁気の光子のエネルギー（引力）は１．４５×１０−５Ｊで、中性子の陽子のラブが１秒間に作る磁気の光子のエネルギー（引力）は１．６５×１０−５Ｊです。
中性子の陽子のラブと電子のラブはこの引力によって引き合っている。
【請求項１３】
場の軌道エネルギーの式について。
地球において、電子のラブが１秒間に作るエネルギーは、８×１０−１４Ｊです。この公転軌道は１．２５×１０−１０ｍです。それで、地球において、公転軌道エネルギーの式は、１０−２３Ｊ・ｍです。
太陽のエネルギーは地球のエネルギーの１０３倍で、Ａ＝１０３倍です。
それで、太陽の公転軌道エネルギーの式は、１０−２３Ｊ・ｍ×１０３＝１０−２０Ｊ・ｍです。
地球のＡ倍の場の公転軌道エネルギーの式は、１０−２３×Ａ  Ｊ・ｍです。
エネルギー＝１０−２３×Ａ  Ｊ・ｍ÷軌道
軌道＝１０−２３×Ａ  Ｊ・ｍ÷エネルギー  です。
例えば、宇宙年齢が１０８歳の場合、Ａ＝１．２５×１０５倍ですから、この場の軌道エネルギーの式は、１０−２３×Ａ  Ｊ・ｍ＝１０−２３×１．２５×１０５  Ｊ・ｍ＝１．２５×１０−１８Ｊ・ｍ  です。
エネルギー＝１０−１８  Ｊ・ｍ÷軌道
軌道＝１０−１８Ｊ・ｍ÷エネルギー  です。
軌道エネルギーの式には２種類あります。
１つは公転軌道エネルギーの式で、１つは自転軌道エネルギーの式です。
公転軌道エネルギーの式は公転軌道×１秒間にできる光子のエネルギーです。
自転軌道エネルギーの式は自転軌道×１秒間にできる磁気の光子のエネルギーです。
公転軌道エネルギーの式は、自転軌道エネルギーの式の１０８倍です。
【請求項１４】
地球のＡ倍のエネルギーの場において、１秒間にできるエネルギーについて。
本発明者は、２００５年８月２７日提出した特願２００５−２７８６９４において、宇宙において、電子のラブが１秒間に作るエネルギーを次のように考えた。
電子のラブが１秒間に作るエネルギー＝電子のラブが１回転して作る１個の光子のエネルギー×１秒間の回転数。
その場のエネルギーが、地球のエネルギーのＡ倍である場合、
電子のラブが１回公転して作る電気の光子の１個のエネルギーは、８×１０−３０Ｊ×Ａであり、電子のラブが１秒間に公転する公転数は、１０１６回×Ａである。
よって、電子のラブが１秒間に作る電気の光子のエネルギーは、８×１０−３０Ｊ×Ａ×１０１６回×Ａ＝８×１０−１４Ｊ×Ａ２  Ｊである、と記した。
今回は、どのようなエネルギーの場にあっても、電子のラブの公転数は一定であり、自転数は一定であると考える。
軌道エネルギーの式はその場のエネルギーの状態によって変わる、と考える。
・地球のＡ倍のエネルギーの場において、１秒間にできる電気の光子のエネルギーについて。
地球の電子のラブの公転軌道は１．２５×１０−１０ｍで、１秒間にできる電気の光子のエネルギーは８×１０−１４Ｊです。
地球の電子のラブの公転軌道エネルギーの式は、公転軌道×１秒間にできる電気の光子のエネルギー＝１．２５×１０−１０ｍ×８×１０−１４Ｊ＝１０−２３Ｊ・ｍです。
地球のＡ倍のエネルギーの場において、電子のラブの公転軌道エネルギーの式は、１０−２３×Ａ  Ｊ・ｍです。
それで、
地球のＡ倍のエネルギーの場において、電子のラブが１秒間に作る電気の光子のエネルギーは、
エネルギー＝１０−２３×Ａ  Ｊ・ｍ÷公転軌道  です。
地球のＡ倍のエネルギーの場において、公転軌道は、１．２５×１０−１０ｍ÷Ａ  です。
それで、１秒間にできる電気の光子のエネルギーは、
エネルギー＝１０−２３×Ａ  Ｊ・ｍ÷公転軌道＝１０−２３×Ａ  Ｊ・ｍ÷（１．２５×１０−１０ｍ÷Ａ）＝８×１０−１４Ｊ×Ａ２  です。
地球のＡ倍のエネルギーの場において、１秒間にできる電気の光子のエネルギーは、８×１０−１４Ｊ×Ａ２  です。
・地球のＡ倍のエネルギーの場において、１秒間にできる磁気の光子のエネルギーについて。
地球の電子のラブの自転軌道は１．２５×１０−１８ｍで、１秒間にできる磁気の光子のエネルギーは８×１０−１４Ｊです。
地球の電子のラブの自転軌道エネルギーの式は、自転軌道×１秒間にできる磁気の光子のエネルギー＝１．２５×１０−１８ｍ×８×１０−１４Ｊ＝１０−３１Ｊ・ｍです。
地球のＡ倍のエネルギーの場において、電子のラブの自転軌道エネルギーの式は、１０−３１×Ａ  Ｊ・ｍです。
それで、
地球のＡ倍のエネルギーの場において、電子のラブが１秒間に作る磁気の光子のエネルギーは、
エネルギー＝１０−３１×Ａ  Ｊ・ｍ÷自転軌道  です。
地球のＡ倍のエネルギーの場において、自転軌道は、１．２５×１０−１８ｍ÷Ａ  です。
それで、１秒間にできる磁気の光子のエネルギーは、
エネルギー＝１０−３１×Ａ  Ｊ・ｍ÷自転軌道＝１０−３１×Ａ  Ｊ・ｍ÷（１．２５×１０−１８ｍ÷Ａ）＝８×１０−１４Ｊ×Ａ２  です。
地球のＡ倍のエネルギーの場において、１秒間にできる磁気の光子のエネルギーは、８×１０−１４Ｊ×Ａ２  です。
よって、地球のＡ倍のエネルギーの場において、１秒間にできる電気の光子のエネルギーと磁気の光子のエネルギーは、８×１０−１４Ｊ×Ａ２  です。
【請求項１５】
１秒間にできる電気の光子のエネルギーと磁気の光子のエネルギーと公転軌道の関係について。公転軌道から１秒間にできる電気の光子のエネルギーと磁気の光子のエネルギーを求める。
・電子のラブの公転軌道から、１秒間にできる電気の光子のエネルギーと磁気の光子のエネルギーを求める。
地球のＡ倍のエネルギーの場において、１秒間にできる電気の光子のエネルギーと磁気の光子のエネルギーは、８×１０−１４Ｊ×Ａ２  です。
Ａ＝１．２５×１０−１０÷電子のラブの公転軌道  です。
それで、
８×１０−１４Ｊ×Ａ２＝８×１０−１４Ｊ×（１．２５×１０−１０÷電子のラブの公転軌道）２＝１．２５×１０−３３Ｊ÷電子のラブの公転軌道２です。
１秒間にできる電気の光子のエネルギーと磁気の光子のエネルギーは、１．２５×１０−３３Ｊ÷電子のラブの公転軌道２です。
例えば、公転軌道が１０−２０ｍの場において、電子のラブが１秒間公転してできる電気の光子のエネルギーは、
１．２５×１０−３３Ｊ÷電子のラブの公転軌道２＝１．２５×１０−３３Ｊ÷（１０−２０ｍ）２＝１．２５×１０７Ｊです。
電子のラブが１秒間自転してできる磁気の光子のエネルギーも１．２５×１０７Ｊです。
・陽子のラブの公転軌道から、１秒間にできる電気の光子のエネルギーと磁気の光子のエネルギーを求める。
地球のＡ倍のエネルギーの場において、１秒間にできる電気の光子のエネルギーと磁気の光子のエネルギーは、８×１０−１４Ｊ×Ａ２  です。
Ａ＝６．６７×１０−１４÷陽子のラブの公転軌道  です。
それで、
８×１０−１４Ｊ×Ａ２＝８×１０−１４Ｊ×（６．６７×１０−１４÷陽子のラブの公転軌道）２＝３．５６×１０−４０Ｊ÷陽子のラブの公転軌道２です。
例えば、１０８歳の宇宙において、陽子のラブの公転軌道は５．３３６×１０−１９ｍです。
陽子のラブが１秒間公転して作る電気の光子のエネルギーは、
３．５６×１０−４０Ｊ÷陽子のラブの公転軌道２＝３．５６×１０−４０Ｊ÷（５．３３６×１０−１９ｍ）２＝１．２５×１０−３Ｊです。
陽子のラブが１秒間自転してできる磁気の光子のエネルギーも１．２５×１０−３Ｊです。
まとめ。
１秒間にできる電気の光子のエネルギー＝磁気の光子のエネルギーを求める式は、
ａその場の公転軌道エネルギーの式で、エネルギー＝１０−２３Ｊ・ｍ×Ａ÷公転軌道
ｂエネルギー＝８×１０−１４Ｊ×Ａ２
ｃエネルギー＝１．２５×１０−３３Ｊ・ｍ÷公転軌道２  です。
【請求項１６】
宇宙の年齢において、電気の光子１個のエネルギーはどれ位か。磁気の光子１個のエネルギーはどれ位か。
宇宙の年齢において、１秒間にできる電気の光子のエネルギーは、８×１０−１４Ｊ×Ａ２です。この電気の光子のエネルギーは電気の光子１０１６個のエネルギーです。
それで、電気の光子１個のエネルギーは、
１秒間にできるエネルギー÷１０１６個
＝１０−２３Ｊ・ｍ×Ａ÷公転軌道÷１０１６個
＝８×１０−１４Ｊ×Ａ２÷１０１６個
＝１．２５×１０−３３Ｊ・ｍ÷公転軌道２÷１０１６個  です。
宇宙の年齢において、１秒間にできる磁気の光子のエネルギーは、８×１０−１４Ｊ×Ａ２です。この磁気の光子のエネルギーは磁気の光子１０２４個のエネルギーです。
それで、磁気の光子１個のエネルギーは、
１秒間にできるエネルギー÷１０２４個＝１０２３Ｊ・ｍ×Ａ÷公転軌道÷１０２４個＝８×１０−１４Ｊ×Ａ２÷１０２４個＝１．２５×１０−３３Ｊ÷公転軌道２÷１０２４個  です。
【請求項１７】
宇宙の年齢において、電気の光子の公転軌道はどれ位か。電気の光子１個エネルギー×電気の光子の公転軌道はどれ位か。１秒間にできる電気の光子のエネルギー×電気の光子の公転軌道（＝電気の光子の軌道エネルギー）はどれ位か。
宇宙の年齢において、磁気の光子の自転軌道はどれ位か。磁気の光子１個エネルギー×磁気の光子の自軌道はどれ位か。１秒間にできる磁気の光子のエネルギー×磁気の光子の自転軌道（＝引力の式）はどれ位か。
・宇宙の年齢において、電気の光子の公転軌道はどれ位か。
宇宙の年齢において、電気の光子の公転軌道は電子のラブの公転軌道と同じである。
・電気の光子１個エネルギー×電気の光子の公転軌道はどれ位か。
電気の光子１個のエネルギー×電気の光子の公転軌道＝宇宙の年齢における１秒間にできる電気の光子のエネルギー÷１０１６個×電子のラブの公転軌道
・１秒間にできる電気の光子のエネルギー×電気の光子の公転軌道（＝電気の光子の軌道エネルギー）はどれ位か。
１秒間にできる電気の光子のエネルギー×電気の光子の公転軌道（＝電気の光子の軌道エネルギー）＝宇宙の年齢における１秒間にできる電気の光子のエネルギー×電子のラブの公転軌道
・宇宙の年齢において、磁気の光子の自転軌道はどれ位か。
宇宙の年齢において、磁気の光子の自転軌道は、電子のラブの公転軌道の１０−８倍です。
・磁気の光子１個エネルギー×磁気の光子の自軌道はどれ位か。１
磁気の光子１個エネルギー×磁気の光子の自軌道＝宇宙の年齢における１秒間にできる磁気の光子のエネルギー÷１０２４個×電子のラブの公転軌道×１０−８倍
・１秒間にできる磁気の光子のエネルギー×磁気の光子の自転軌道（＝引力の式）はどれ位か。
１秒間にできる磁気の光子のエネルギー×磁気の光子の自転軌道（＝引力の式）＝宇宙の年齢における１秒間にできる磁気の光子のエネルギー×電子のラブの公転軌道×１０−８倍
【請求項１８】
宇宙の軌道において、電子のラブの秒速と、１秒間にできる電気の光子のエネルギー×電気の光子の公転軌道（＝電子の公転軌道エネルギーの式）の関係について。
電子のラブの秒速と、１秒間にできる電気の光子のエネルギーの関係について。
・宇宙の軌道において、電子のラブの秒速と１秒間にできる電気の光子のエネルギー×電気の光子の公転軌道の関係について。
秒速×１秒間にできる電気の光子のエネルギー×電気の光子の公転軌道＝３．９２５×１０−１７Ｊ・ｍ２
よって、
秒速＝３．９２５×１０−１７Ｊ・ｍ２÷（１秒間にできる電気の光子のエネルギー×電気の光子の公転軌道）
秒速は１秒間にできる電気の光子のエネルギー×電気の光子の公転軌道に反比例する。
秒速＝３．９２５×１０−１７Ｊ・ｍ２÷（１秒間にできる電気の光子のエネルギー×電気の光子の公転軌道）＝３．９２５×１０−１７Ｊ・ｍ２÷（１秒間にできる電気の光子のエネルギー×電子のラブの公転軌道）＝３．９２５×１０−１７Ｊ・ｍ２÷電気の光子の公転軌道エネルギー＝３．９２５×１０−１７Ｊ・ｍ２÷公転軌道エネルギーの式
秒速は公転軌道エネルギーの式に反比例する。
たとえば、１億歳の宇宙では、公転軌道エネルギーの式は１．２５×１０−１８Ｊ・ｍですから、秒速は、
秒速＝３．９２５×１０−１７Ｊ・ｍ２÷公転軌道エネルギーの式＝３．９２５×１０−１７Ｊ・ｍ２÷（１．２５×１０−１８Ｊ・ｍ）＝３．１４×１０ｍです。
・電子のラブの秒速と、１秒間にできる電気の光子のエネルギーの関係について。
秒速÷公転軌道＝３．１４×１０１６
秒速×公転軌道＝３．９２５×１０−１７Ｊ・ｍ２÷１秒間にできる電気の光子のエネルギー上の２つの式により、
秒速２＝３．１４×１０１６×３．９２５×１０−１７Ｊ・ｍ２÷１秒間にできる電気の光子のエネルギー＝１．２３２４５Ｊ・ｍ２÷１秒間にできる電気の光子のエネルギー
秒速＝（１．２３２４５Ｊ・ｍ÷１秒間にできる電気の光子のエネルギー）１／２
秒速は１秒間にできる電気の光子のエネルギーの１／２乗に反比例する。
例えば、１億年歳の宇宙では、１秒間にできる電気の光子のエネルギーは１．２５×１０−３Ｊですから、秒速は、
秒速＝｛１．２３２４５Ｊ・ｍ÷（１．２５×１０−３Ｊ）｝１／２＝（０．９８６×１０３ｍ）１／２＝３．１４×１０ｍです。
【請求項１９】
宇宙の年齢において、電子のラブの秒速と、１秒間にできる磁気の光子のエネルギー×磁気の光子の自転軌道（＝引力の式）の関係について。電子のラブの秒速と、１秒間にできる磁気の光子のエネルギーの関係について。
・電子のラブの秒速と、１秒間にできる磁気の光子のエネルギー×磁気の光子の自転軌道（＝引力の式）の関係について。
秒速×１秒間にできる磁気の光子のエネルギー×磁気の光子の自転軌道＝３．９２５×１０−２５Ｊ・ｍ２
よって、
秒速＝３．９２５×１０−２５Ｊ・ｍ２÷（１秒間にできる磁気の光子のエネルギー×磁気の光子の自転軌道）＝３．９２５×１０−２５Ｊ・ｍ２÷電子のラブの引力の式
秒速は電子のラブの引力の式に反比例する。
例えば、１億歳の宇宙では、電子のラブの引力の式は１．２５×１０−２６Ｊ・ｍですから、秒速は、
秒速＝３．９２５×１０−２５Ｊ・ｍ２÷電子のラブの引力の式＝３．９２５×１０−２５Ｊ・ｍ２÷（１．２５×１０−２６Ｊ・ｍ）＝３．１４×１０ｍです。
・電子のラブの秒速と１秒間にできる磁気の光子のエネルギーの関係について。
秒速と１秒間にできる磁気の光子の関係はどのようであるか。
秒速＝（１．２３２４５Ｊ・ｍ÷１秒間にできる電気の光子のエネルギー）１／２
１秒間にできる電気の光子のエネルギー＝１秒間にできる磁気の光子のエネルギー  であるから、
秒速＝（１．２３２４５Ｊ・ｍ÷１秒間にできる磁気の光子のエネルギー）１／２
秒速は１秒間にできる磁気の光子のエネルギーの１／２乗に反比例する。
１秒間にできる磁気の光子のエネルギーが大きいほど、秒速は遅くなる。
例えば、１億歳の宇宙では、１秒間にできる磁気の光子のエネルギーは１．２５×１０−３Ｊですから、秒速は、
秒速＝｛１．２３２４５Ｊ・ｍ÷（１．２５×１０−３Ｊ）｝１／２＝（０．９８６×１０３ｍ）１／２＝３．１４×１０ｍです。
【請求項２０】
どうして、１秒間にできる磁気の光子のエネルギーが大きい場ほど、秒速は遅くなるのか。
１つの電子のラブが１秒間に作る磁気の光子のエネルギーが大きいほど、引力は大きくなる。
引力の大きな場では、電子のラブも、陽子のラブも、光子も引きあう力が大きいから、走る速度は遅くなる。
高エネルギーの場を離れ出ると、電子のラブと電気の光子と磁気の光子は、光速で走る。
【請求項２１】
宇宙の原子の中で、電子のラブの秒速と、電気の光子の秒速と、磁気の光子の秒速はどのようであるか。
導線を電子のラブが走る時、電子のラブの秒速は光速にやや等しい。
この事により、電子のラブと電気の光子と磁気の光子の秒速はほぼ等しいと考える。
宇宙の原子の中で、電子のラブの秒速と、電気の光子の秒速と、磁気の光子の秒速は等しい。
【請求項２２】
宇宙の年齢における電気の光子１個のエネルギーは地上の電気の光子１個のエネルギー何倍になるか。宇宙の年齢における磁気の光子１個のエネルギーは地上の磁気の光子１個のエネルギーの何倍になるか。宇宙の年齢における電子のラブ１個のエネルギーは地上の電子のラブ１個のエネルギー何倍になるか。宇宙の年齢における陽子のラブ１個のエネルギーは地上の陽子のラブ１個のエネルギー何倍になるか。
例えば、１億歳の宇宙において、電気の光子１個のエネルギーは、１秒間にできる電気の光子のエネルギーは１．２５×１０−３Ｊですから、１．２５×１０−３Ｊ÷１０１６個＝１．２５×１０−１９Ｊです。
地球において、電気の光子１個のエネルギーは８×１０−３０Ｊですが、１億歳の宇宙では、
１．２５×１０−１９Ｊ÷（８×１０−３０Ｊ）＝１．５６２５×１０１０倍である。これは、Ａ２倍です。
Ａ＝１．２５×１０−１０ｍ÷１０−１５ｍ＝１．２５×１０５倍。
Ａ２＝（１．２５×１０５倍）２＝１．５６２５×１０１０倍
同様に、例えば、１億歳の宇宙において、磁気の光子１個のエネルギーは、１秒間にできる磁気の光子のエネルギーは１．２５×１０−３Ｊですから、１．２５×１０−３Ｊ÷１０２４個＝１．２５×１０−２７Ｊです。
地球において、電気の光子１個のエネルギーは８×１０−３８Ｊですが、１億歳の宇宙では、
１．２５×１０−２７Ｊ÷（８×１０−３８Ｊ）＝１．５６２５×１０１０倍である。これは、Ａ２倍です。
同様に、電子のラブのエネルギーもＡ２です。
同様に、陽子のラブのエネルギーもＡ２です。
【請求項２３】
宇宙の年齢における、陽子のラブの公転軌道エネルギーの式はどれ位か。
地球における、陽子のラブの軌道エネルギーは、電子のラブの軌道エネルギーの１８７４分の１です。
地球における、電子のラブの公転軌道エネルギーの式は、１０−２３Ｊ・ｍです。
地球における、陽子のラブの公転軌道エネルギーの式は、１０−２３Ｊ・ｍ÷１８７４＝５．３３６×１０−２７Ｊ・ｍです。
地球のＡ倍のエネルギーの宇宙における、陽子のラブの公転軌道エネルギーの式は、５．３３６×１０−２７×Ａ  Ｊ・ｍです。
エネルギー＝５．３３６×１０−２７×Ａ  Ｊ・ｍ÷陽子のラブの公転軌道
陽子のラブの公転軌道＝５．３３６×１０−２７×Ａ  Ｊ・ｍ÷エネルギー
【請求項２４】
宇宙の年齢において、陽子のラブが１秒間に作る電気の光子のエネルギーと磁気の光子のエネルギーはどれ位か。
宇宙の年齢において、陽子のラブが１秒間に作る電気の光子のエネルギーと磁気の光子のエネルギーは、５．３３６×１０−２７×Ａ  Ｊ・ｍ÷陽子のラブの公転軌道です。
【請求項２５】
宇宙の年齢と電子のラブの秒速の関係はどのようであるか。宇宙の年齢と陽子のラブの秒速の関係はどのようであるか。
宇宙の年齢と電子のラブの秒速の関係は、
宇宙の年齢÷電子のラブの秒速＝３．１４×１０７歳・ｍ−１です。
宇宙の年齢と陽子のラブの秒速の関係は、
宇宙の年齢÷陽子のラブの秒速＝５．９５×１０９歳・ｍ−１です。
【請求項２６】
宇宙の存在可能年齢はどれ位か。
宇宙の存在可能年齢は、電子のラブの秒速が光速に成るまでとすると、宇宙の存在可能年齢は、
宇宙の年齢÷（３×１０８ｍ）＝３．１４×１０７歳・ｍ−１
宇宙の年齢＝３．１４×１０７歳・ｍ×（３×１０８ｍ）＝９．４２×１０１５歳です。
宇宙の存在可能年齢は、電子のラブが１自転で１公転すると仮定子、その秒速が光速に成るまでとすると、宇宙の存在可能年齢は、
その１０８倍で、９．４２×１０２３歳です。
宇宙の存在可能年齢は、陽子のラブの秒速が光速に成るまでとすると、宇宙の存在可能年齢は、
宇宙の年齢÷（３×１０８ｍ）＝５．９５×１０９歳・ｍ−１
宇宙の年齢＝５．９５×１０９歳・ｍ−１×（３×１０８ｍ）＝１．７８５×１０１８歳です。
宇宙の存在可能年齢は、陽子のラブが１自転で１公転すると仮定し、その秒速が光速に成るまでとすると、宇宙の存在可能年齢は、
その１０８倍で、１．７８５×１０２６歳です。
【発明の詳細な説明】
【技術分野】
【０００１】ビッグバンの以前の状態について。中性子星について。ブラックホール球体について。電子の運動によってできる、電気のエネルギーと磁気のエネルギーの原理について。電子の運動によってできる、電気の波形とエネルギーと、磁気の波形とエネルギーについて。宇宙の年齢における、ラブの１秒間の自転数と公転数について。宇宙の年齢における、原子の中の電子の秒速について、陽子の秒速について、電気の光子の秒速について、磁気の光子の秒速について。中性子について。宇宙の年齢と軌道エネルギーの式について。宇宙の年齢において、１秒間にできる電気の光子と磁気の光子のエネルギーについて。電子の秒速と、１秒間にできる電気の光子のエネルギー（＝磁気の光子のエネルギー）×公転軌道  の関係について。秒速と磁気の光子のエネルギー×自転軌道＝引力の式に関して。宇宙の存在可能年齢について。
これらの事は電子の自転軌道と公転軌道に関するもので、電子の自転軌道と公転軌道によって解明する。
【背景技術】
【０００２】ビッグバンの状態について、電子のラブの公転軌道は解っていない。
中性子星の電子のラブの公転軌道は解っていない。
ブラックホール球の電子のラブの公転軌道は解っていない。
電子の運動（回転や半回転で進む）によって、どうして電気の光子のエネルギーは、磁気の光子のエネルギーの１０８倍に成るのか、その原理は解っていない。
どうして、電気の光子の波長は横波で、磁気の光子の波長は縦波であるのか、その原理は解っていない。
宇宙のどの年齢でも、自転回数と公転回数は一定である事は解っていない。
宇宙の年齢において、原子の中の電子のラブと陽子のラブの秒速は解っていない。
中性子の電子のラブの秒速と１秒間にできる磁気の光子のエネルギーはどれ位なのか解っていない。
中性子の陽子のラブの秒速と１秒間にできる磁気の光子のエネルギーはどれ位なのか解っていない。
宇宙の年齢において、電子のラブが１秒間に作る電気の光子のエネルギーと磁気の光子のエネルギーについて、陽子のラブが１秒間に作る電気の光子のエネルギーと磁気の光子のエネルギーについて、本発明者は２００５年１０月２４日提出した特許願に記したが、今回は回転数が一定なので、再考する。
宇宙の年齢における、電子のラブの秒速と、１秒間にできる電気の光子のエネルギー×公転軌道の関係については解っていない。
宇宙の年齢における、電子のラブの秒速と、１秒間にできる磁気の光子のエネルギー×自転軌道の関係については解っていない。
宇宙の存在可能年齢については解っていない。
【発明の開示】
ビッグバンの以前、電子のラブの公転軌道はどれ位か。ビッグバンの以前、電子のラブの公転軌道は１０−２１ｍであるとする。これはブラックホールの電子のラブの公転軌道です。ブラックホールの中で、電子のラブの公転速度はどれ位か。地上で、陽子のラブの秒速は、電子のラブの秒速の約２０００分の１である。質量は秒速に関係がある。ブラックホールの質量密度は地上の１０３０倍になっている。それならば、ブラックホールにおいて、電子のラブの質量も１０３０倍になっているので、電子のラブの秒速は遅くなっているはずである。
地上の原子の姿は、宇宙の年齢における原子の姿の拡大形であると考える。電子のラブの公転軌道が拡大しただけであると考える。
電子のラブの１秒間の公転数と自転数はどのようなエネルギーの場にあっても一定である。
秒速＝３．１４×公転軌道×１０１６回であるから、ビッグバンの以前、電子のラブの秒速は、秒速＝３．１４×１０−２１ｍ×１０１６回＝３．１４×１０−５ｍです。
【発明が解決しようとする課題】
【０００３】１．ビッグバンの以前の電子のラブの公転軌道はどれ位か。
２．どうして、ビッグバンの以前の電子のラブの公転軌道が１０−２１ｍである球体はブラックホールであるか。中性子星の電子のラブの公転軌道について。ブラックホール球の電子のラブの公転軌道について。
３．ッグバンの以前の球体の大きさはどれ位か。
４．ビッグバンの以前のエネルギーはどれ位か。
５．電子のラブが自転しながら公転するとはどういうことか。どうして電子のラブが１回公転してできる電気の光子１個のエネルギーは電子のラブが１０８回自転してできる磁気の光子１０８個のエネルギーになるのか。その原理について。
６．電子のラブが自転し、公転する事によってできる、磁気の光子の波形とエネルギーと電気の光子の波型とエネルギーについて。
７．電子のラブが１秒間に公転する公転数は一定です。電子のラブが１秒間に自転する自転数は一定です。
８．ラブが回転する速度は回転する軌道の大きさによって変化する。ラブが回転する速度は公転軌道に比例する。ラブが回転する速度は自転軌道に比例する。
９．原子の質量密度について。
１０．ラブの秒速は、（１原子の質量÷ラブの公転軌道）に反比例する。
１１．中性子の電子のラブの秒速と中性子の陽子のラブの秒速について。
１２．中性子の電子のラブが作る磁気の光子のエネルギー（引力）と、中性子の陽子のラブが作る磁気の光子のエネルギー（引力）はどれ位か。
１３．場の軌道エネルギーの式について。
１４．地球のＡ倍のエネルギーの場において、１秒間にできるエネルギーについて。
１５．１秒間にできる電気の光子のエネルギーと磁気の光子のエネルギーと公転軌道の関係について。公転軌道から１秒間にできる電気の光子のエネルギーと磁気の光子のエネルギーを求める。
１６．宇宙の年齢において、電気の光子１個のエネルギーはどれ位か。磁気の光子１個のエネルギーはどれ位か。
１７．宇宙の年齢において、電気の光子の公転軌道はどれ位か。電気の光子１個エネルギー×電気の光子の公転軌道はどれ位か。１秒間にできる電気の光子のエネルギー×電気の光子の公転軌道（＝電気の光子の軌道エネルギー）はどれ位か。
宇宙の年齢において、磁気の光子の自転軌道はどれ位か。磁気の光子１個エネルギー×磁気の光子の自軌道はどれ位か。１秒間にできる磁気の光子のエネルギー×磁気の光子の自転軌道（＝磁気の光子の軌道エネルギー）はどれ位か。
１８．宇宙の軌道において、電子のラブの秒速と、１秒間にできる電気の光子のエネルギー×電気の光子の公転軌道（＝電子の公転軌道エネルギーの式）の関係について。電子のラブの秒速と、１秒間にできる電気の光子のエネルギーの関係について。
１９．宇宙の年齢において、電子のラブの秒速と、１秒間にできる磁気の光子のエネルギー×磁気の光子の自転軌道（＝引力の式）の関係について。電子のラブの秒速と、１秒間にできる磁気の光子のエネルギーの関係について。
２０．どうして、１秒間にできる磁気の光子のエネルギーが大きい場ほど、秒速は遅くなるのか。
２１．宇宙の原子の中で、電子のラブの秒速と、電気の光子の秒速と、磁気の光子の秒速はどのようであるか。
２２．宇宙の年齢における電気の光子１個のエネルギーは地上の電気の光子１個のエネルギー何倍になるか。宇宙の年齢における磁気の光子１個のエネルギーは地上の磁気の光子１個のエネルギーの何倍になるか。宇宙の年齢における電子のラブ１個のエネルギーは地上の電子のラブ１個のエネルギー何倍になるか。宇宙の年齢における陽子のラブ１個のエネルギーは地上の陽子のラブ１個のエネルギー何倍になるか。
２３．宇宙の年齢における、陽子のラブの公転軌道エネルギーの式はどれ位か。
２４．宇宙の年齢において、陽子のラブが１秒間に作る電気の光子のエネルギーと磁気の光子のエネルギーはどれ位か。
２５．宇宙の年齢と電子のラブの秒速の関係はどのようであるか。
２６．宇宙の存在可能年齢はどれ位か。
【発明を解決する手段】
【０００４】▲１▼ビッグバンの状態はどのようであったのか。電子のラブの公転軌道によって考える。
本発明者は２００５年１０月２４日提出した、特許願の請求項１９番で、中性子星の電子のラブの公転軌道を１０−１８ｍとした。請求項２０番で、ブラックホール球の電子のラブの公転軌道を１０−１９ｍから１０−２０ｍとした。今回は、中性子星の電子のラブの公転軌道を１０−１９ｍとし、ブラックホール球の電子のラブの公転軌道を１０−２０ｍとする。それで、ビッグバンの以前のブラックホール球の電子のラブの公転軌道は１０−２１ｍです。
▲２▼ビッグバンの以前のブラックホール球の原子の数は、現在の宇宙の原子の数です。
現在、銀河系には太陽と同じ質量の星が２０００億個あり、宇宙には、銀河系と同じ質量の銀河が２０００億個あると仮定します。球体の大きさは、電子の大きさを１０−２１ｍとして計算し、エネルギーは（１．２５×１０１１）２倍として計算します。
▲３▼電子のラブは自転しながら公転するという事は、公転の太さが自転軌道です。それで、太さ×走った距離が電気の光子のエネルギーと成ります。太さ×１自転＝磁気の光子１個のエネルギー。太さ×１０８自転＝太さ×１公転＝電気の光子１個のエネルギー＝１０８個の磁気の光子のエネルギー。
▲４▼電子のラブの自転を縦波とします。縦波が１０８個集まったものが横波になります。
▲５▼原子の陽子のラブと電子のラブは向き合って（引き合って）同じ回転数で自転し、同じ回転数で公転する。この回転数はどのようなエネルギーの場においても同じです。
▲６▼宇宙の年齢において、電子のラブの秒速は、３．１４×公転軌道×公転数（一定）です。陽子のラブの秒速は、３．１４×公転軌道×公転数（一定）です。
▲７▼中性子の電子のラブは、約１０−１４ｍを公転しています。１秒間に１０１６回公転しますから、秒速は３．１４×１０−１４ｍ×１０１６回です。中性子の陽子のラブは、４．６５×１０−１８ｍを公転しています。１秒間に１０１６回公転しますから、秒速は３．１４×４．６５×１０−１８ｍ×１０１６回です。
中性子の電子のラブが１秒間に作る磁気の光子のエネルギー（引力）は、１．４５×１０−５Ｊで、中性子の陽子のラブが１秒間に作る磁気の光子のエネルギー（引力）は、１．６５×１０−５Ｊで引き合って公転している。
▲８▼宇宙の年齢と軌道エネルギーの式は、地球の公転エネルギーの式は、１０−２３Ｊ・ｍですから、地球のＡ倍のエネルギーの場では、１０−２３×Ａ  Ｊ・ｍです。
▲９▼宇宙の年齢における、１秒間にできる電気の光子のエネルギー（＝磁気の光子のエネルギー）は次の式で求められる。ａＥ＝１０−２３×Ａ  Ｊ・ｍ÷電子のラブの公転軌道  ｂＥ＝１０−２３×ＡＪ・ｍ÷（１．２５×１０−１０ｍ÷Ａ）＝８×１０−１４×Ａ２  Ｊ  ｃＥ＝８×１０−１４×Ａ２＝８×１０−１４×（１．２５×１０−１０ｍ÷公転軌道）２＝１．２５×１０−３３Ｊ÷公転軌道２
▲１０▼宇宙の年齢における、秒速と１秒間にできる電気の光子のエネルギー（＝磁気の光子のエネルギー）×電気の光子の公転軌道、の関係について。
秒速×１秒間にできる電気の光子のエネルギー×電気の光子の公転軌道＝３．９２５×１０−１７Ｊ・ｍ２
秒速＝３．９２５×１０−１７Ｊ・ｍ２÷（１秒間にできる電気の光子のエネルギー×電気の光子の公転軌道）＝３．９２５×１０−１７Ｊ・ｍ２÷電子のラブの公転軌道エネルギーの式
秒速は１秒間にできる電気の光子のエネルギー（＝磁気の光子のエネルギー）×公転軌道に反比例し、電子のラブの公転軌道エネルギーの式に反比例する。
▲１１▼宇宙の年齢において、１秒間にできる電気の光子のエネルギー（＝磁気の光子のエネルギー）は８×１０−１４×Ａ２に成ります。それで、Ａ倍の場では、全てのエネルギーはＡ２に成ります。
【発明の実施態様】
【０００５】１．  ビッグバンの以前の電子のラブの公転軌道はどれ位か。
本発明者が、２００５年８月２７日提出した特願２００５−２７８６９４の１５番で、ビッグバンの時の光子の軌道は５．５６×１０−２１ｍです、と記した。
この事から、ビッグバンの以前の電子のラブの軌道はこの軌道より小さい。それで、ビッグバンの以前の電子のラブの公転軌道を１０−２１ｍとする。
ビッグバンの以前の電子のラブの公転軌道は球体のブラックホールです。
２．  どうして、ビッグバンの以前の電子のラブの公転軌道が１０−２１ｍである球体はブラックホールであるか。中性子星の電子のラブの公転軌道について。ブラックホール球の電子のラブの公転軌道について。
本発明者は、２００５年１０月２４日提出した特許願いの１９番で、星の中の中性子の電子のラブの公転軌道を核融合反応が行われる場の１０−１倍と仮定した。それで、中性子星の電子のラブの公転軌道は１０−１８ｍであると考えた。
もし、星の中の中性子の電子のラブの公転軌道を１０−２倍と仮定したら、中性子星の電子のラブの公転軌道は１０−１９ｍである。
２１番で、ブラックホールができる電子のラブの公転軌道を、核融合反応が行われる場の１０−２倍とした。それで、ブラックホールの電子のラブの公転軌道は１０−１９ｍである。
ブラックホールの密度が１０３０であるとしたら、ブラックホールの電子のラブの公転軌道は１０−２０ｍである。
２２番で、電子のラブの公転軌道が１０−１９ｍの中性子のエネルギーは、電子のラブの公転軌道が１０−１８ｍの中性子のエネルギーの１０倍ですから、外側のエネルギーは１０−１／２倍で、３．１６倍です。
中性子星ができる３．１６倍以上の質量の星はブラックホールになる。
ブラックホールの密度が１０３０倍の場合は、電子のラブの公転軌道は１０−２０ｍですから、１００１／２＝１０倍の質量の星の中で、ブラックホールはできた。中性子になる星の１０倍の質量の星の中で、密度が１０３０のブラックホールができた。と記しました。
この事を、太陽の質量と核融合反応が起きる電子のラブの公転軌道によって考えます。
核融合反応が起きるのは、太陽くらいの星です。
１０−１７ｍで太陽の質量です。ブラックホールの電子のラブの公転軌道は１０−２０ｍであるとします。
１０−２０ｍは１０−１７ｍの１０００倍のエネルギーですから、太陽の質量の１０００１／２＝３１．６倍の質量の星の中でブラックホールはできた。
中性子星の電子のラブの公転軌道は１０−１９ｍであるとします。（核融合反応の１００倍のエネルギーの場の中性子が中性子星になったとします。）
１０−１９ｍは１０−１７ｍの１００倍のエネルギーですから、太陽の質量の１００１／２＝１０倍の質量の星の中で中性子星はできた。
この事により、中性子星の電子のラブの公転軌道は１０−１９ｍであり、ブラックホールの電子のラブの公転軌道は１０−２０ｍであると理解する。
ビッグバンでできた５×１０−２１ｍの光子は、１０−２１ｍの軌道を公転する電子のラブと陽子のラブによってできた。
ビッグバンの以前の電子のラブと陽子のラブの公転軌道は１０−２１ｍである。
１０−２１ｍの電子のラブの公転軌道は１０−２０ｍの１０分の１であるから、この軌道もブラックホールである。
よって、ビッグバンの以前の、ブラックホールの球体の電子のラブの公転軌道は１０−２１ｍである。
３．  ビッグバンの以前の球体の大きさはどれ位か。
現在、銀河系には２０００億個の星があり、星の質量は太陽と同じ質量であると仮定します。
現在、宇宙には銀河系と同じ質量の銀河が２０００億個あると仮定します。
太陽の質量は約２×１０３３ｇです。この中に原子はどれ位あるか。原子の質量を１．６６×１０−２４ｇであるとします。
太陽には原子が、
２×１０３３ｇ÷（１．６６×１０−２４ｇ）＝１．２×１０５７個ある。
銀河系には原子が、
２×１０１１個×１．２×１０５７個＝２．４×１０６８個ある。
宇宙には原子が、
２×１０１１個×２．４×１０６８個＝４．８×１０７９個ある。
半径ｒの球体に４．８×１０７９個の原子があるとすると、ｒの中にどれだけの原子があるか。
４／３πｒ３＝４．８×１０７９個    ｒ＝２．２６×１０２６個  ｒの中に２．２６×１０２６個の原子がある。
１個の原子の大きさは１０−２１ｍですから、ｒの大きさはどれ位か。
２．２６×１０２６個×１０−２１ｍ＝２．２６×１０５ｍ  ｒ＝２．２６×１０５ｍ
ビッグバンの以前の宇宙の球体の半径は２．２６×１０５ｍです。
４．  ビッグバンの以前のエネルギーはどれ位か。
ビッグバンの以前の軌道は１０−２１ｍで、Ａ＝１．２５×１０１１倍です。
請求項２１番により、この場のラブのエネルギーはＡ２倍です。
Ａ２＝（１．２５×１０１１）２＝１．５６２５×１０２２倍です。
原子数は４．８×１０７９個で１原子のエネルギーは１．５×１０−１０Ｊですから、
ビッグバンの以前のエネルギーは、
４．８×１０７９個×１．５×１０−１０Ｊ×１．５６２５×１０２２倍＝１．１２５×１０９２Ｊです。
５．  電子のラブが自転しながら公転するとはどういうことか。どうして電子のラブが１回公転してできる電気の光子１個のエネルギーは電子のラブが１０８回自転してできる磁気の光子１０８個のエネルギーになるのか。その原理について。図１
電子のラブは自転しながら公転するという事は、公転の太さが自転軌道です。それで、太さ×走った距離が電気の光子のエネルギーと成ります。太さ×１自転＝磁気の光子１個のエネルギー。太さ×１０８自転＝太さ×１公転＝電気の光子１個のエネルギー＝１０８個の磁気の光子のエネルギー。
地上では、電子のラブの自転軌道は１．２５×１０−１８ｍで、公転軌道は１．２５×１０−１０ｍです。
この状態は、電子のラブは１．２５×１０−１８ｍの円の太さで、走っています。
電子のラブは１．２５×１０−１８ｍの円の太さで、走って、公転しています。
それで、公転のエネルギーは、自転のエネルギーになります。
１回の公転のエネルギーは、１０８回の自転のエネルギーになります。
電子のラブが１回公転してできる電気の光子１個のエネルギーは、電子のラブが１０８回自転してできる磁気の光子１０８個のエネルギーに等しくなる原理は、公転の太さ（公転の線の太さ）が自転軌道の大きさであるからです。
陽子のラブの場合も同じです。
６．  電子のラブが自転し、公転する事によってできる、磁気の光子の波形とエネルギーと電気の光子の波型とエネルギーについて。図２
電子のラブが１０８回自転し、その波を縦波とする。
自転しながら公転する波は縦波の集合体である。縦波の集合体は縦波に対して、垂直方向に走るので、横波に成る。これが電気の光子です。
縦波は磁気の光子のエネルギーです。横波は電気の光孑のエネルギーです。
縦波が１０８回転で、横波は１回転です。このエネルギーは同じです。
縦波の波長は横波の波長の１０−８倍です。
縦波の回数は横波の回数の１０８倍です。
縦波の波長を横波の波長にすると、縦波の波長は１０８倍になり、エネルギーは１０−８倍になる。
１個の縦波の波長を１０８倍にすると、エネルギーは１０−８倍に成る。
１個の縦波の磁気の光子の波長を１０８倍にすると、１個の磁気の光子のエネルギーは１０−８倍に成る。
１０８個の縦波の磁気の光子の波長を１０８倍にすると、１０８個の磁気の光子のエネルギーは１０−８倍に成る。
縦波の細い線の集合体が横波の太い線になっている。
７．  電子のラブと陽子のラブが１秒間に公転する公転数は一定です。電子のラブと陽子のラブが１秒間に自転する自転数は一定です。
地球において、原子の中の、電子のラブと陽子のラブは引き合い公転しているので公転数は同じです。
宇宙の年齢においても、原子の中の、電子のラブと陽子のラブは引き合い同じ回転数で回転している。その回転数は地球も、いかなる宇宙の年齢においても同じです。
どのような軌道を公転するときも、電子のラブと陽子のラブが１秒間に公転する公転数は一定です。本発明者は１０１６回と考えています。
どのような軌道を自転するときも、電子のラブと陽子のラブが１秒間に自転する自転数は一定です。本発明者は１０２４回と考えています。
８．  ラブが回転する速度は回転する軌道の大きさによって変化する。ラブが回転する速度は公転軌道に比例する。ラブが回転する速度は自転軌道に比例する。
ラブの秒速は、公転軌道×３．１４×１０１６回  です。
ラブの秒速は、自転軌道×３．１４×１０２４回  です。
公転軌道の秒速と自転軌道の秒速は同じです。
電子のラブの回転軌道が小さくなると電子のラブの回転する速度は遅くなる。
陽子のラブの回転軌道が小さくなると陽子のラブの回転する速度は遅くなる。
地上では、電子のラブの秒速は、
公転で計算すると、１．２５×１０−１０ｍ×３．１４×１０１６回＝４×１０６ｍです。
自転で計算すると、１．２５×１０−１８ｍ×３．１４×１０２４回＝４×１０６ｍです。
地上では、陽子のラブの秒速は、
公転で計算すると、６．６７×１０−１４ｍ×３．１４×１０１６回＝２．１×１０３ｍです。
自転で計算すると、６．６７×１０−２２ｍ×３．１４×１０２４回＝２．１×１０３ｍです。
例えば、電子のラブの公転軌道が１０−２０ｍの場では、電子のラブの秒速は、
１０−２０ｍ×３．１４×１０１６回＝３．１４×１０−４ｍです。
電子のラブの公転軌道が１０−２０ｍの場では、陽子のラブの公転軌道は５．３４×１０−２４ｍですから、陽子のラブの秒速は、
５．３４×１０−２４ｍ×３．１４×１０１６回＝１．６８×１０−７ｍです。
電子のラブの秒速は、陽子のラブの秒速の、
３．１４×１０−４ｍ÷（１．６８×１０−７ｍ）＝１．８７×１０３倍です。
９．  原子の質量密度について。
（原子の質量÷原子の大きさ）を原子の質量密度と名づける。
原子の質量は１．６６×１０−２４ｇで一定です。
原子の大きさは電子のラブの公転軌道です。
電子のラブの公転軌道が変わると、原子の大きさも変わりますから、原子の大きさに対する質量のわりあいが変わります。
それで、電子の大きさに対する原子の質量を原子の質量密度と名づけます。
原子の質量密度＝１原子の質量÷原子の大きさ＝１原子の質量÷電子のラブの公転軌道＝１．６６×１０−２４ｇ÷電子のラブの公転軌道    です。
例えば、地球の原子の質量密度は、
地球の原子の質量密度＝１．６６×１０−２４ｇ÷電子のラブの公転軌道＝１．６６×１０−２４ｇ÷（１．２５×１０−１０ｍ）＝１．３２８×１０−１４ｇ／ｍです。
例えば、宇宙の１０８歳の原子の質量密度は、電子のラブの公転軌道は１０−１５ｍですから、
宇宙の１０８歳の原子の質量密度＝１．６６×１０−２４ｇ÷電子のラブの公転軌道＝１．６６×１０−２４ｇ÷（１０−１５ｍ）＝１．６６×１０−９ｇ／ｍです。
（陽子の質量÷陽子の大きさ）を陽子の質量密度と名づける。
陽子の質量密度は、陽子の質量÷陽子の大きさ  です。
陽子の質量は１．６６×１０−２４ｇで一定です。
陽子の大きさは、陽子のラブの公転軌道です。
それで、陽子の質量密度は、
陽子の質量÷陽子の大きさ＝１．６６×１０−２４ｇ÷陽子のラブの公転軌道    です。
例えば、地球の陽子の質量密度は、
地球の陽子の質量密度＝１．６６×１０−２４ｇ÷陽子のラブの公転軌道＝１．６６×１０−２４ｇ÷（６．６７×１０−１４ｍ）＝２．４９×１０−１１ｇ／ｍです。
例えば、宇宙の１０９歳の陽子の質量密度は、陽子のラブの公転軌道は５．３×１０−１８ｍですから、
宇宙の１０９歳の陽子の質量密度＝１．６６×１０−２４ｇ÷陽子のラブの公転軌道＝１．６６×１０−２４ｇ÷（５．３×１０−１８ｍ）＝３．１３×１０−７ｇ／ｍです。
１０．  ラブの秒速は、（１原子の質量÷ラブの公転軌道）に反比例する。
電子のラブの秒速は、（１原子の質量÷電子のラブの公転軌道）に反比例する。
電子のラブの公転軌道を公転軌道と記します。
電子のラブの秒速を秒速と記します。
秒速＝公転軌道×３．１４×１０１６回です。
原子の質量密度＝ａとします。
ａ＝１．６６×１０−２４ｇ÷公転軌道
公転軌道＝１．６６×１０−２４ｇ÷ａ
それで、
秒速＝公転軌道×３．１４×１０１６回＝１．６６×１０−２４ｇ÷ａ×３．１４×１０１６回＝５．２１２４×１０−８ｇ÷ａ
秒速＝５．２１２４×１０−８ｇ÷原子の質量密度  です。
秒速は質量密度に反比例します。
そして、
秒速＝公転軌道×３．１４×１０１６回＝５．２１２４×１０−８ｇ÷ａ＝５．２１２４×１０−８ｇ÷（１．６６×１０−２４ｇ÷公転軌道）＝３．１４×１０１６×公転軌道
秒速は公転軌道に比例する。
例えば、電子のラブの公転軌道が１０−１５ｍの場合。
原子の質量密度＝１．６６×１０−２４ｇ÷公転軌道＝１．６６×１０−２４ｇ÷１０−１５ｍ＝１．６６×１０−９ｇ／ｍ
電子のラブの秒速は、秒速＝５．２１２４×１０−８ｇ÷原子の質量密度  ですから、
５．２１２４×１０−８ｇ÷（１．６６×１０−９ｇ／ｍ）＝３．１４×１０ｍ  です。
例えば、公転軌道が１．２５×１０−１０ｍの場合。
秒速＝３．１４×１０１６×公転軌道＝３．１４×１０１６×１．２５×１０−１０ｍ＝４×１０６ｍ
例えば、公転軌道が６．６７×１０−１４ｍの場合。
秒速＝３．１４×１０１６×公転軌道＝３．１４×１０１６×６．６７×１０−１４ｍ＝２．１×１０３ｍ
それで、６．６７×１０−１４ｍの軌道に電子のラブが居た場合、電子のラブの秒速は２．１×１０３ｍになる。
１１．  中性子の電子のラブの秒速と中性子の陽子のラブの秒速について。図３
本発明者は、原子における電子のラブと陽子のラブは、１秒間に１０１６回公転していると考えている。電子のラブの秒速は４×１０６ｍで、陽子のラブの秒速は２．１×１０３ｍであると考えている。そして、特願２００５−２９２９４５では、電子のラブも陽子のラブも１秒間に８×１０−１４Ｊの磁気の光子の引力で引き合っていると考えている。
今回、電子のラブと陽子のラブは、どのような軌道を公転する場合でも１秒間の公転数は一定であり、１０１６回であると考える。
中性子の電子のラブと中性子の陽子のラブも、１秒間の公転数は一定であり、１０１６回であると考える。
中性子の電子のラブの秒速と中性子の陽子のラブの秒速はいくらか。
本発明者は、特願２００５−２４６７１９において、中性子の磁気モーメントが１／２スピンで−０．１５の場合、中性子の電子のラブの自転軌道の大きさは０．９２９×１０−２２ｍで、公転軌道は０．９２９×１０−１４ｍであるとしています。中性子の陽子のラブの自転軌道の大きさは４．６４５×１０−２６ｍで、公転軌道は４．６４５×１０−１８ｍであるとしています。
それで、中性子の電子のラブの公転軌道は０．９２９×１０−１４ｍとし、中性子の陽子のラブの公転軌道は４．６４５×１０−１８ｍとします。
中性子の電子のラブの秒速は、公転軌道が０．９２９×１０−１４ｍですから、
秒速＝３．１４×１０１６×公転軌道＝３．１４×１０１６×０．９２９×１０−１４ｍ＝２．９１７×１０２ｍです。
中性子の陽子のラブの秒速は、公転軌道が４．６４５×１０−１８ｍですから、
秒速＝３．１４×１０１６×公転軌道＝３．１４×１０１６×４．６４５×１０−１８ｍ＝１．４５９×１０−１ｍです。
１２．  中性子の電子のラブが作る磁気の光子のエネルギー（引力）と、中性子の陽子のラブが作る磁気の光子のエネルギー（引力）はどれ位か。図３
・  中性子の電子のラブが作る磁気の光子のエネルギー（引力）はどれ位か。
▲１▼公転軌道エネルギーの式、エネルギー＝１０−２３×Ａ  Ｊ・ｍ÷公転軌道の式により求める。
請求項１３番から、地球のＡ倍のエネルギーの場において、電子のラブが１秒間に作る電気の光子のエネルギーは、
エネルギー＝１０−２３×Ａ  Ｊ・ｍ÷公転軌道  です。
１秒間にできる電気の光子のエネルギー＝１秒間にできる磁気の光子のエネルギーは、
Ａ＝１．２５×１０−１０÷電子のラブの公転軌道＝１．２５×１０−１０÷（０．９２９×１０−１４ｍ）＝１．３４６×１０４ですから、
エネルギー＝１０−２３×Ａ  Ｊ・ｍ÷公転軌道＝１０−２３×１．３４６×１０４  Ｊ・ｍ÷公転軌道＝１．３４６×１０−１９Ｊ・ｍ÷（０．９２９×１０−１４ｍ）＝１．４５×１０−５Ｊです。
▲２▼１秒間に作る磁気の光子のエネルギー＝８×１０−１４Ｊ×Ａ２の式により求める。
請求項１３番から、１秒間にできる電気の光子のエネルギーと磁気の光子のエネルギーは、８×１０−１４Ｊ×Ａ２ですから、
中性子の電子のラブが１秒間に作る磁気の光子のエネルギー＝８×１０−１４Ｊ×Ａ２＝８×１０−１４Ｊ×（１．３４６×１０４）２＝１．４５×１０５Ｊです。
▲３▼１秒間に作る磁気の光子のエネルギー＝１．２５×１０−３３Ｊ÷電子のラブの公転軌道２の式により求める。
請求項１４番から、１秒間にできる電気の光子のエネルギーと磁気の光子のエネルギーは、１．２５×１０−３３Ｊ÷電子のラブの公転軌道２ですから、
中性子の電子のラブが作る磁気の光子のエネルギーは、
１．２５×１０−３３Ｊ÷電子のラブの公転軌道２＝１．２５×１０−３３Ｊ÷（０．９２９×１０−１４ｍ）２−１．４４８×１０−５Ｊです。
・  中性子の陽子のラブが作る磁気の光子のエネルギー（引力）はどれ位か。
Ａにより求める。
Ａ＝６．６７×１０−１４ｍ÷（陽子の公転軌道）＝６．６７×１０−１４ｍ÷（４．６４５×１０−１８ｍ）＝１．４３６×１０４
中性子の陽子のラブが作る磁気の光子のエネルギー（引力）は、
８×１０−１４Ｊ×Ａ２＝８×１０−１４Ｊ×（１．４３６×１０４）２＝１．６５×１０−５Ｊです。
陽子の公転軌道により求める。
３．５６×１０−４０Ｊ÷陽子のラブの公転軌道２＝３．５６×１０−４０Ｊ÷（４．６４５×１０−１８ｍ）２＝１．６５×１０−５Ｊです。
中性子の電子のラブが１秒間に作る磁気の光子のエネルギー（引力）は１．４５×１０−５Ｊで、中性子の陽子のラブが１秒間に作る磁気の光子のエネルギー（引力）は１．６５×１０−５Ｊです。
中性子の陽子のラブと電子のラブはこの引力によって引き合っている。
１３．  場の軌道エネルギーの式について。
地球において、電子のラブが１秒間に作るエネルギーは、８×１０−１４Ｊです。この公転軌道は１．２５×１０−１０ｍです。それで、地球において、公転軌道エネルギーの式は、１０−２３Ｊ・ｍです。
太陽のエネルギーは地球のエネルギーの１０３倍で、Ａ＝１０３倍です。
それで、太陽の公転軌道エネルギーの式は、１０−２３Ｊ・ｍ×１０３＝１０−２０Ｊ・ｍです。
地球のＡ倍の場の公転軌道エネルギーの式は、１０−２３×Ａ  Ｊ・ｍです。
エネルギー＝１０−２３×Ａ  Ｊ・ｍ÷軌道
軌道＝１０−２３×Ａ  Ｊ・ｍ÷エネルギー  です。
例えば、宇宙年齢が１０８歳の場合、Ａ＝１．２５×１０５倍ですから、この場の軌道エネルギーの式は、１０−２３×Ａ  Ｊ・ｍ＝１０−２３×１．２５×１０５  Ｊ・ｍ＝１．２５×１０−１８Ｊ・ｍ  です。
エネルギー＝１０−１８  Ｊ・ｍ÷軌道
軌道＝１０−１８Ｊ・ｍ÷エネルギー  です。
軌道エネルギーの式には２種類あります。
１つは公転軌道エネルギーの式で、１つは自転軌道エネルギーの式です。
公転軌道エネルギーの式は公転軌道×１秒間にできる光子のエネルギーです。
自転軌道エネルギーの式は自転軌道×１秒間にできる磁気の光子のエネルギーです。
公転軌道エネルギーの式は、自転軌道エネルギーの式の１０８倍です。
１４．  地球のＡ倍のエネルギーの場において、１秒間にできるエネルギーについて。
本発明者は、２００５年８月２７日提出した特願２００５−２７８６９４において、宇宙において、電子のラブが１秒間に作るエネルギーを次のように考えた。
電子のラブが１秒間に作るエネルギー＝電子のラブが１回転して作る１個の光子のエネルギー×１秒間の回転数。
その場のエネルギーが、地球のエネルギーのＡ倍である場合、
電子のラブが１回公転して作る電気の光子の１個のエネルギーは、８×１０−３０Ｊ×Ａであり、電子のラブが１秒間に公転する公転数は、１０１６回×Ａである。
よって、電子のラブが１秒間に作る電気の光子のエネルギーは、８×１０−３０Ｊ×Ａ×１０１６回×Ａ＝８×１０−１４Ｊ×Ａ２  Ｊである、と記した。
今回は、どのようなエネルギーの場にあっても、電子のラブの公転数は一定であり、自転数は一定であると考える。
軌道エネルギーの式はその場のエネルギーの状態によって変わる、と考える。
・地球のＡ倍のエネルギーの場において、１秒間にできる電気の光子のエネルギーについて。
地球の電子のラブの公転軌道は１．２５×１０−１０ｍで、１秒間にできる電気の光子のエネルギーは８×１０−１４Ｊです。
地球の電子のラブの公転軌道エネルギーの式は、公転軌道×１秒間にできる電気の光子のエネルギー＝１．２５×１０−１０ｍ×８×１０−１４Ｊ＝１０−２３Ｊ・ｍです。
地球のＡ倍のエネルギーの場において、電子のラブの公転軌道エネルギーの式は、１０−２３×Ａ  Ｊ・ｍです。
それで、
地球のＡ倍のエネルギーの場において、電子のラブが１秒間に作る電気の光子のエネルギーは、
エネルギー＝１０−２３×Ａ  Ｊ・ｍ÷公転軌道  です。
地球のＡ倍のエネルギーの場において、公転軌道は、１．２５×１０−１０ｍ÷Ａ  です。
それで、１秒間にできる電気の光子のエネルギーは、
エネルギー＝１０−２３×Ａ  Ｊ・ｍ÷公転軌道＝１０−２３×Ａ  Ｊ・ｍ÷（１．２５×１０−１０ｍ÷Ａ）＝８×１０−１４Ｊ×Ａ２  です。
地球のＡ倍のエネルギーの場において、１秒間にできる電気の光子のエネルギーは、８×１０−１４Ｊ×Ａ２  です。
・地球のＡ倍のエネルギーの場において、１秒間にできる磁気の光子のエネルギーについて。
地球の電子のラブの自転軌道は１．２５×１０−１８ｍで、１秒間にできる磁気の光子のエネルギーは８×１０−１４Ｊです。
地球の電子のラブの自転軌道エネルギーの式は、自転軌道×１秒間にできる磁気の光子のエネルギー＝１．２５×１０−１８ｍ×８×１０−１４Ｊ＝１０−３１Ｊ・ｍです。
地球のＡ倍のエネルギーの場において、電子のラブの自転軌道エネルギーの式は、１０−３１×Ａ  Ｊ・ｍです。
それで、
地球のＡ倍のエネルギーの場において、電子のラブが１秒間に作る磁気の光子のエネルギーは、
エネルギー＝１０−３１×Ａ  Ｊ・ｍ÷自転軌道  です。
地球のＡ倍のエネルギーの場において、自転軌道は、１．２５×１０−１８ｍ÷Ａ  です。
それで、１秒間にできる磁気の光子のエネルギーは、
エネルギー＝１０−３１×Ａ  Ｊ・ｍ÷自転軌道＝１０−３１×Ａ  Ｊ・ｍ÷（１．２５×１０−１８ｍ÷Ａ）＝８×１０−１４Ｊ×Ａ２  です。
地球のＡ倍のエネルギーの場において、１秒間にできる磁気の光子のエネルギーは、８×１０−１４Ｊ×Ａ２  です。
よって、地球のＡ倍のエネルギーの場において、１秒間にできる電気の光子のエネルギーと磁気の光子のエネルギーは、８×１０−１４Ｊ×Ａ２  です。
１５．  １秒間にできる電気の光子のエネルギーと磁気の光子のエネルギーと公転軌道の関係について。公転軌道から１秒間にできる電気の光子のエネルギーと磁気の光子のエネルギーを求める。
・電子のラブの公転軌道から、１秒間にできる電気の光子のエネルギーと磁気の光子のエネルギーを求める。
地球のＡ倍のエネルギーの場において、１秒間にできる電気の光子のエネルギーと磁気の光子のエネルギーは、８×１０−１４Ｊ×Ａ２  です。
Ａ＝１．２５×１０−１０÷電子のラブの公転軌道  です。
それで、
８×１０−１４Ｊ×Ａ２＝８×１０−１４Ｊ×（１．２５×１０−１０÷電子のラブの公転軌道）２＝１．２５×１０−３３Ｊ÷電子のラブの公転軌道２です。
１秒間にできる電気の光子のエネルギーと磁気の光子のエネルギーは、１．２５×１０−３３Ｊ÷電子のラブの公転軌道２です。
例えば、公転軌道が１０−２０ｍの場において、電子のラブが１秒間公転してできる電気の光子のエネルギーは、
１．２５×１０−３３Ｊ÷電子のラブの公転軌道２＝１．２５×１０−３３Ｊ÷（１０−２０ｍ）２＝１．２５×１０７Ｊです。
電子のラブが１秒間自転してできる磁気の光子のエネルギーも１．２５×１０７Ｊです。
・陽子のラブの公転軌道から、１秒間にできる電気の光子のエネルギーと磁気の光子のエネルギーを求める。
地球のＡ倍のエネルギーの場において、１秒間にできる電気の光子のエネルギーと磁気の光子のエネルギーは、８×１０−１４Ｊ×Ａ２  です。
Ａ＝６．６７×１０−１４÷陽子のラブの公転軌道  です。
それで、
８×１０−１４Ｊ×Ａ２＝８×１０−１４Ｊ×（６．６７×１０−１４÷陽子のラブの公転軌道）２＝３．５６×１０−４０Ｊ÷陽子のラブの公転軌道２です。
例えば、１０８歳の宇宙において、陽子のラブの公転軌道は５．３３６×１０−１９ｍです。
陽子のラブが１秒間公転して作る電気の光子のエネルギーは、
３．５６×１０−４０Ｊ÷陽子のラブの公転軌道２＝３．５６×１０−４０Ｊ÷（５．３３６×１０−１９ｍ）２＝１．２５×１０−３Ｊです。
陽子のラブが１秒間自転してできる磁気の光子のエネルギーも１．２５×１０−３Ｊです。
まとめ。
１秒間にできる電気の光子のエネルギー＝磁気の光子のエネルギーを求める式は、
ａその場の公転軌道エネルギーの式で、エネルギー＝１０−２３Ｊ・ｍ×Ａ÷公転軌道
ｂエネルギー＝８×１０−１４Ｊ×Ａ２
ｃエネルギー＝１．２５×１０−３３Ｊ・ｍ÷公転軌道２  です。
１６．  宇宙の年齢において、電気の光子１個のエネルギーはどれ位か。磁気の光子１個のエネルギーはどれ位か。
宇宙の年齢において、１秒間にできる電気の光子のエネルギーは、８×１０−１４Ｊ×Ａ２です。この電気の光子のエネルギーは電気の光子１０１６個のエネルギーです。
それで、電気の光子１個のエネルギーは、
１秒間にできるエネルギー÷１０１６個
＝１０−２３Ｊ・ｍ×Ａ÷公転軌道÷１０１６個
＝８×１０−１４Ｊ×Ａ２÷１０１６個
＝１．２５×１０−３３Ｊ・ｍ÷公転軌道２÷１０１６個  です。
宇宙の年齢において、１秒間にできる磁気の光子のエネルギーは、８×１０−１４Ｊ×Ａ２です。この磁気の光子のエネルギーは磁気の光子１０２４個のエネルギーです。
それで、磁気の光子１個のエネルギーは、
１秒間にできるエネルギー÷１０２４個＝１０２３Ｊ・ｍ×Ａ÷公転軌道÷１０２４個＝８×１０−１４Ｊ×Ａ２÷１０２４個＝１．２５×１０−３３Ｊ÷公転軌道２÷１０２４個  です。
１７．  宇宙の年齢において、電気の光子の公転軌道はどれ位か。電気の光子１個エネルギー×電気の光子の公転軌道はどれ位か。１秒間にできる電気の光子のエネルギー×電気の光子の公転軌道（＝電気の光子の軌道エネルギー）はどれ位か。
宇宙の年齢において、磁気の光子の自転軌道はどれ位か。磁気の光子１個エネルギー×磁気の光子の自軌道はどれ位か。１秒間にできる磁気の光子のエネルギー×磁気の光子の自転軌道（＝引力の式）はどれ位か。
・宇宙の年齢において、電気の光子の公転軌道はどれ位か。
宇宙の年齢において、電気の光子の公転軌道は電子のラブの公転軌道と同じである。
・電気の光子１個エネルギー×電気の光子の公転軌道はどれ位か。
電気の光子１個のエネルギー×電気の光子の公転軌道＝宇宙の年齢における１秒間にできる電気の光子のエネルギー÷１０１６個×電子のラブの公転軌道
・１秒間にできる電気の光子のエネルギー×電気の光子の公転軌道（＝電気の光子の軌道エネルギー）はどれ位か。
１秒間にできる電気の光子のエネルギー×電気の光子の公転軌道（＝電気の光子の軌道エネルギー）＝宇宙の年齢における１秒間にできる電気の光子のエネルギー×電子のラブの公転軌道
・宇宙の年齢において、磁気の光子の自転軌道はどれ位か。
宇宙の年齢において、磁気の光子の自転軌道は、電子のラブの公転軌道の１０−８倍です。
・磁気の光子１個エネルギー×磁気の光子の自軌道はどれ位か。１
磁気の光子１個エネルギー×磁気の光子の自軌道＝宇宙の年齢における１秒間にできる磁気の光子のエネルギー÷１０２４個×電子のラブの公転軌道×１０−８倍
・１秒間にできる磁気の光子のエネルギー×磁気の光子の自転軌道（＝引力の式）はどれ位か。
１秒間にできる磁気の光子のエネルギー×磁気の光子の自転軌道（＝引力の式）＝宇宙の年齢における１秒間にできる磁気の光子のエネルギー×電子のラブの公転軌道×１０−８倍
１８．  宇宙の軌道において、電子のラブの秒速と、１秒間にできる電気の光子のエネルギー×電気の光子の公転軌道（＝電子の公転軌道エネルギーの式）の関係について。電子のラブの秒速と、１秒間にできる電気の光子のエネルギーの関係について。
・宇宙の軌道において、電子のラブの秒速と１秒間にできる電気の光子のエネルギー×電気の光子の公転軌道の関係について。
秒速×１秒間にできる電気の光子のエネルギー×電気の光子の公転軌道＝３．９２５×１０−１７Ｊ・ｍ２
よって、
秒速＝３．９２５×１０−１７Ｊ・ｍ２÷（１秒間にできる電気の光子のエネルギー×電気の光子の公転軌道）
秒速は１秒間にできる電気の光子のエネルギー×電気の光子の公転軌道に反比例する。
秒速＝３．９２５×１０−１７Ｊ・ｍ２÷（１秒間にできる電気の光子のエネルギー×電気の光子の公転軌道）＝３．９２５×１０−１７Ｊ・ｍ２÷（１秒間にできる電気の光子のエネルギー×電子のラブの公転軌道）＝３．９２５×１０−１７Ｊ・ｍ２÷電気の光子の公転軌道エネルギー＝３．９２５×１０−１７Ｊ・ｍ２÷公転軌道エネルギーの式
秒速は公転軌道エネルギーの式に反比例する。
たとえば、１億歳の宇宙では、公転軌道エネルギーの式は１．２５×１０−１８Ｊ・ｍですから、秒速は、
秒速＝３．９２５×１０−１７Ｊ・ｍ２÷公転軌道エネルギーの式＝３．９２５×１０−１７Ｊ・ｍ２÷（１．２５×１０−１８Ｊ・ｍ）＝３．１４×１０ｍです。
・電子のラブの秒速と、１秒間にできる電気の光子のエネルギーの関係について。
秒速÷公転軌道＝３．１４×１０１６
秒速×公転軌道＝３．９２５×１０−１７Ｊ・ｍ２÷１秒間にできる電気の光子のエネルギー上の２つの式により、
秒速２＝３．１４×１０１６×３．９２５×１０−１７Ｊ・ｍ２÷１秒間にできる電気の光子のエネルギー＝１．２３２４５Ｊ・ｍ２÷１秒間にできる電気の光子のエネルギー
秒速＝（１．２３２４５Ｊ・ｍ÷１秒間にできる電気の光子のエネルギー）１／２
秒速は１秒間にできる電気の光子のエネルギーの１／２乗に反比例する。
例えば、１億年歳の宇宙では、１秒間にできる電気の光子のエネルギーは１．２５×１０−３Ｊですから、秒速は、
秒速＝｛１．２３２４５Ｊ・ｍ÷（１．２５×１０−３Ｊ）｝１／２＝（０．９８６×１０３ｍ）１／２＝３．１４×１０ｍです。
１９．  宇宙の年齢において、電子のラブの秒速と、１秒間にできる磁気の光子のエネルギー×磁気の光子の自転軌道（＝引力の式）の関係について。電子のラブの秒速と、１秒間にできる磁気の光子のエネルギーの関係について。
・電子のラブの秒速と、１秒間にできる磁気の光子のエネルギー×磁気の光子の自転軌道（＝引力の式）の関係について。
秒速×１秒間にできる磁気の光子のエネルギー×磁気の光子の自転軌道＝３．９２５×１０−２５Ｊ・ｍ２
よって、
秒速＝３．９２５×１０−２５Ｊ・ｍ２÷（１秒間にできる磁気の光子のエネルギー×磁気の光子の自転軌道）＝３．９２５×１０−２５Ｊ・ｍ２÷電子のラブの引力の式
秒速は電子のラブの引力の式に反比例する。
例えば、１億歳の宇宙では、電子のラブの引力の式は１．２５×１０−２６Ｊ・ｍですから、秒速は、秒速＝３．９２５×１０−２５Ｊ・ｍ２÷電子のラブの引力の式＝３．９２５×１０−２５Ｊ・ｍ２÷（１．２５×１０−２６Ｊ・ｍ）＝３．１４×１０ｍです。
・電子のラブの秒速と１秒間にできる磁気の光子のエネルギーの関係について。
秒速と１秒間にできる磁気の光子の関係はどのようであるか。
秒速＝（１．２３２４５Ｊ・ｍ÷１秒間にできる電気の光子のエネルギー）１／２
１秒間にできる電気の光子のエネルギー＝１秒間にできる磁気の光子のエネルギー  であるから、
秒速＝（１．２３２４５Ｊ・ｍ÷１秒間にできる磁気の光子のエネルギー）１／２
秒速は１秒間にできる磁気の光子のエネルギーの１／２乗に反比例する。
１秒間にできる磁気の光子のエネルギーが大きいほど、秒速は遅くなる。
例えば、１億歳の宇宙では、１秒間にできる磁気の光子のエネルギーは１．２５×１０−３Ｊですから、秒速は、
秒速＝｛１．２３２４５Ｊ・ｍ÷（１．２５×１０−３Ｊ）｝１／２＝（０．９８６×１０３ｍ）１／２＝３．１４×１０ｍです。
２０．  どうして、１秒間にできる磁気の光子のエネルギーが大きい場ほど、秒速は遅くなるのか。
１つの電子のラブが１秒間に作る磁気の光子のエネルギーが大きいほど、引力は大きくなる。
引力の大きな場では、電子のラブも、陽子のラブも、光子も引きあう力が大きいから、走る速度は遅くなる。
高エネルギーの場を離れ出ると、電子のラブと電気の光子と磁気の光子は、光速で走る。
２１．  宇宙の原子の中で、電子のラブの秒速と、電気の光子の秒速と、磁気の光子の秒速はどのようであるか。
導線を電子のラブが走る時、電子のラブの秒速は光速にやや等しい。
この事により、電子のラブと電気の光子と磁気の光子の秒速はほぼ等しいと考える。
宇宙の原子の中で、電子のラブの秒速と、電気の光子の秒速と、磁気の光子の秒速は等しい。
２２．  宇宙の年齢における電気の光子１個のエネルギーは地上の電気の光子１個のエネルギー何倍になるか。宇宙の年齢における磁気の光子１個のエネルギーは地上の磁気の光子１個のエネルギーの何倍になるか。宇宙の年齢における電子のラブ１個のエネルギーは地上の電子のラブ１個のエネルギー何倍になるか。宇宙の年齢における陽子のラブ１個のエネルギーは地上の陽子のラブ１個のエネルギー何倍になるか。
例えば、１億歳の宇宙において、電気の光子１個のエネルギーは、１秒間にできる電気の光子のエネルギーは１．２５×１０−３Ｊですから、１．２５×１０−３Ｊ÷１０１６個＝１．２５×１０−１９Ｊです。
地球において、電気の光子１個のエネルギーは８×１０−３０Ｊですが、１億歳の宇宙では、
１．２５×１０−１９Ｊ÷（８×１０−３０Ｊ）＝１．５６２５×１０１０倍である。これは、Ａ２倍です。
Ａ＝１．２５×１０−１０ｍ÷１０−１５ｍ＝１．２５×１０５倍。
Ａ２＝（１．２５×１０５倍）２＝１．５６２５×１０１０倍
同様に、例えば、１億歳の宇宙において、磁気の光子１個のエネルギーは、１秒間にできる磁気の光子のエネルギーは１．２５×１０−３Ｊですから、１．２５×１０−３Ｊ÷１０２４個＝１．２５×１０−２７Ｊです。
地球において、電気の光子１個のエネルギーは８×１０−３８Ｊですが、１億歳の宇宙では、
１．２５×１０−２７Ｊ÷（８×１０−３８Ｊ）＝１．５６２５×１０１０倍である。これは、Ａ２倍です。
同様に、電子のラブのエネルギーもＡ２です。
同様に、陽子のラブのエネルギーもＡ２です。
２３．  宇宙の年齢における、陽子のラブの公転軌道エネルギーの式はどれ位か。
地球における、陽子のラブの軌道エネルギーは、電子のラブの軌道エネルギーの１８７４分の１です。
地球における、電子のラブの公転軌道エネルギーの式は、１０−２３Ｊ・ｍです。
地球における、陽子のラブの公転軌道エネルギーの式は、１０−２３Ｊ・ｍ÷１８７４＝５．３３６×１０−２７Ｊ・ｍです。
地球のＡ倍のエネルギーの宇宙における、陽子のラブの公転軌道エネルギーの式は、５．３３６×１０−２７×Ａ  Ｊ・ｍです。
エネルギー＝５．３３６×１０−２７×Ａ  Ｊ・ｍ÷陽子のラブの公転軌道
陽子のラブの公転軌道＝５．３３６×１０−２７×Ａ  Ｊ・ｍ÷エネルギー
２４．  宇宙の年齢において、陽子のラブが１秒間に作る電気の光子のエネルギーと磁気の光子のエネルギーはどれ位か。
宇宙の年齢において、陽子のラブが１秒間に作る電気の光子のエネルギーと磁気の光子のエネルギーは、５．３３６×１０−２７×Ａ  Ｊ・ｍ÷陽子のラブの公転軌道です。
２５．  宇宙の年齢と電子のラブの秒速の関係はどのようであるか。宇宙の年齢と陽子のラブの秒速の関係はどのようであるか。
宇宙の年齢と電子のラブの秒速の関係は、
宇宙の年齢÷電子のラブの秒速＝３．１４×１０７歳・ｍ−１です。
宇宙の年齢と陽子のラブの秒速の関係は、
宇宙の年齢÷陽子のラブの秒速＝５．９５×１０９歳・ｍ−１です。
２６．  宇宙の存在可能年齢はどれ位か。
宇宙の存在可能年齢は、電子のラブの秒速が光速に成るまでとすると、宇宙の存在可能年齢は、
宇宙の年齢÷（３×１０８ｍ）＝３．１４×１０７歳・ｍ−１
宇宙の年齢＝３．１４×１０７歳・ｍ×（３×１０８ｍ）＝９．４２×１０１５歳です。
宇宙の存在可能年齢は、電子のラブが１自転で１公転すると仮定子、その秒速が光速に成るまでとすると、宇宙の存在可能年齢は、
その１０８倍で、９．４２×１０２３歳です。
宇宙の存在可能年齢は、陽子のラブの秒速が光速に成るまでとすると、宇宙の存在可能年齢は、
宇宙の年齢÷（３×１０８ｍ）＝５．９５×１０９歳・ｍ−１
宇宙の年齢＝５．９５×１０９歳・ｍ−１×（３×１０８ｍ）＝１．７８５×１０１８歳です。
宇宙の存在可能年齢は、陽子のラブが１自転で１公転すると仮定し、その秒速が光速に成るまでとすると、宇宙の存在可能年齢は、
その１０８倍で、１．７８５×１０２６歳です。
以上の事をまとめて表にする。
2006075000.tif 000003
2006075000.tif 000004
宇宙における陽子のラブの状態を示す。
2006075000.tif 000005
2006075000.tif 000006
【発明の効果】
【０００６】この発明により次の事が理解できた。
１．ビッグバンの以前、ブラックホールの球体の電子のラブの公転軌道は１０−２１ｍである。
２．中性子星の電子のラブの公転軌道は１０−１９ｍである。
３．宇宙のブラックホール球の電子のラブの公転軌道は１０−２０ｍである。
４．電子のラブが自転しながら公転することは、電子の走る太さが自転軌道の大きさであり、長さが公転軌道の長さである。それで、電気の光子のエネルギーと磁気の光子のエネルギーが同じである。
５．磁気の光子を縦波とし、電気の光子を横波にすると、１０８個の縦波が集団になり、太い線の横波になっている。
６．ラブはどのような軌道を自転し、公転するときも、自転数や公転数は同じである。
７．ラブの秒速は、（原子の質量÷ラブの公転軌道）に反比例する。
８．中性子の電子のラブの秒速は２．９×１０２ｍで、１秒間にできる磁気の光子のエネルギー（引力）は１．４５×１０−５Ｊです。
９．中性子の陽子のラブの秒速は１．４６×１０−１ｍで、１秒間にできる磁気の光子のエネルギー（引力）は１．６５×１０−５Ｊです。
公転数が同じで、引力が同じである事によって、引き合い公転している。
１０．宇宙の年齢において、地球のＡ倍のエネルギーの場では、電子のラブの公転軌道エネルギーの式は１０−２３×Ａ  Ｊ・ｍである。
１１．宇宙の年齢において、地球のＡ倍のエネルギーの場では、１秒間にできる電気の光子のエネルギー（＝磁気の光子のエネルギー）次の式によって求められる。
Ｅ＝１０−２３Ｊ・ｍ×Ａ÷公転軌道。  Ｅ＝８×１０−１４Ｊ×Ａ２。  Ｅ＝１．２５×１０−３３Ｊ・ｍ÷公転軌道２。
１２．宇宙において、電子のラブの秒速＝３．９２５×１０−１７Ｊ・ｍ２÷（１秒間にできる電気の光子のエネルギー×電気の光子の公転軌道）であるから、
秒速は、電子のラブの公転軌道エネルギーの式に反比例する。
１３．秒速は公転軌道×３．１４×１０１６倍で、公転軌道に比例する。
１４．宇宙において、秒速＝３．９２５×１０−２５Ｊ・ｍ２÷（１秒間にできる磁気の光子のエネルギー×磁気の光子の自転軌道）＝３．９２５×１０−２５Ｊ・ｍ２÷電子のラブの引力の式秒速は電子のラブの引力の式に反比例する。
１５．秒速＝（１．２３２４５Ｊ・ｍ÷１秒間にできる磁気の光子のエネルギー）１／２
秒速は１秒間にできる磁気の光子のエネルギー（引力）の１／２乗に反比例する。
１秒間にできる磁気の光子のエネルギー（引力）が大きいほど、秒速は遅くなる。
１６．宇宙の年齢において、原子の中の電子のラブの秒速と電気の光子の秒速と磁気の光子の秒速は等しい。
１７．宇宙の年齢において、地球のＡ倍のエネルギーの場では、電子のラブのエネルギー、陽子のラブのエネルギー、電気の光子のエネルギー、磁気の光子のエネルギーはＡ２倍になる。
１８．宇宙の年齢において、地球のＡ倍のエネルギーの場では、陽子のラブの公転軌道エネルギーの式は５．３３６×１０−２７×Ａ  Ｊ・ｍです。
１９．宇宙の年齢と電子のラブの秒速の関係は、宇宙の年齢÷電子のラブの秒速＝３．１４×１０７歳・ｍです。
２０．宇宙の存在可能年齢は電子のラブの秒速が光速に成るまでとすると、９．４２×１０１５歳です。
宇宙の存在可能年齢は電子のラブの自転軌道の秒速が光速に成るまでとすると、９．４２×１０２３歳です。
【図面の簡単な説明】
【０００７】
【図１】電子のラブは自転しながら公転するという事は、公転の太さが自転軌道です。それで、太さ×走った距離が電気の光子のエネルギーと成ります。太さ×１自転＝磁気の光子１個のエネルギー。太さ×１０８自転＝太さ×１公転＝電気の光子１個のエネルギー＝１０８個の磁気の光子のエネルギー。
【図２】磁気の光子の波長を縦波とすると、電気の光子の波長は、縦波が１０８個集まったものです。それは縦波に垂直に走っていますから、横波です。１個の縦波の波長を１０８倍にし、電気の光子の波長と同じにすると、エネルギーは１０−８倍に成る。
【図３】中性子の電子のラブの公転軌道は０．９２９×１０−１４ｍとし、中性子の陽子のラブの公転軌道は４．６４５×１０−１８ｍとします。中性子の電子のラブの秒速は２．９×１０２ｍで、１秒間にできる磁気の光子のエネルギー（引力）は１．４５×１０−５Ｊです。中性子の陽子のラブの秒速は１．４６×１０−１ｍで、１秒間にできる磁気の光子のエネルギー（引力）は１．６５×１０−５Ｊです。中性子の電子のラブと陽子のラブは、公転数が同じで、引力が同じである事によって、引き合い公転している。
【図４】宇宙の年齢と、電子のラブの公転軌道と、電子のラブの秒速と、電子のラブの自転によって１秒間にできる磁気の光子のエネルギーと、引力の式を示す。
【符号の説明】
【０００８】１  電子のラブ
２．自転軌道
３．公転軌道
４．磁気の光子を縦波とする。
５．電気の光子は横波
６．１０８自転でできる１０８個の磁気の光子
７．１公転でできる１個の電気の光子
８．１個の磁気の光子
９．軌道を１０８倍に拡大した１個の磁気の光子
１０．中性子の電子のラブ
１１．中性子の陽子のラブ
１２．中性子の電子のラブの公転軌道
１３．中性子の陽子のラブの公転軌道
１４．宇宙の年齢
１５．電子のラブの公転軌道
１６．電子のラブの秒速
１７．電子のラブの自転によって１秒間にできる磁気の光子のエネルギー
１８．引力の式
【図１】
2006075000.tif 000007
【図２】
2006075000.tif 000008
【図３】
2006075000.tif 000009
【図４】
2006075000.tif 000010